(57)【要約】たとえば、ミリメートル波（ｍｍＷ）ＷＬＡＮシステムにおけるマルチレゾリューショントレーニングのためのシステム、方法、および手段が開示される。マルチレゾリューションビーム微細化プロトコル（ＭＲ−ＢＲＰ）においては、アクセスポイント（ＡＰ）／ＰＢＳＳ制御ポイント（ＰＣＰ）およびステーション（ＳＴＡ）が、たとえば、サブビームレゾリューションを変更することによって、またはサブビームレゾリューションを保持する一方でビームフォーミングトレーニングのレゾリューションをトレーニングのレベル間もしくはステージ間において変更することによって、マルチレゾリューションビームフォーミングトレーニングを実行することができる。サブビームレゾリューションは、たとえば、別々の角度広がりを割り振ることによって、またはアンテナ要素の数をダウンセレクトする一方でトレーニングのレベル間において要素間間隔を一定に保つことによって変更されることが可能である。ビームフォーミングトレーニングのレゾリューションは、たとえば、サブビームをダウンサンプリングすることによって、またはアンテナ要素をダウンサンプリングする一方で要素間間隔を調整することによって変更されることが可能である。ビームフォーミングトレーニング（たとえば、微細化）レベルは、アンテナウェイトベクトル（ＡＷＶ）のレゾリューションを変更することによって、ビームを微細化することができる。ＡＰ／ＰＣＰおよびＳＴＡは、別々のレゾリューションのサブビームを用いてセクタ全体を複数回にわたって探索して、所望のレゾリューションにおけるサブビームの正しいペアを識別することができる。単一のまたは複数のビームに関してＭＲ−ＢＲＰが使用されて、たとえば、順次または並行してＮ個のビームに関してＭ個のサブビーム（ＡＷＶ）を生成することが可能である。ＭＲ−ＢＲＰは、ビームトラッキングのために使用されることが可能である。デバイスは、ＭＲ−ＢＲＰのそれぞれのレベルにおける最良サブビームを保存することができ、以前のレベルにおけるサブビームへ戻る（たとえば、フォールバックする）ことができる。ＭＲ−ＢＲＰシグナリングは、ＭＲ−ＢＲＰの能力、タイプ、フレームフォーマットなどを示すことができる。
2019512939.tif 000002
【特許請求の範囲】
【請求項１】
ワイヤレスアクセスポイントと複数のワイヤレスステーションとの間において送信される複数のビームのためのマルチレゾリューションビーム微細化の方法であって、
前記ワイヤレスアクセスポイントと前記複数のワイヤレスステーションのうちの少なくとも１つとの間におけるワイヤレスアクセスポイントイニシエータ送信機セクタスイープを前記ワイヤレスアクセスポイントにおいて実行するステップと、
前記複数のワイヤレスステーションのうちの前記少なくとも１つおよび前記ワイヤレスアクセスポイントのための受信機セクタスイープを前記ワイヤレスアクセスポイントにおいて実行するステップと、
前記アクセスポイント送信機と前記複数のワイヤレスステーション受信機のうちの少なくとも１つとの間における第１のレゾリューションのためのビームセクタを特定するステップと、
前記第１のレゾリューションのための前記特定されたビームセクタ内のビームを、前記特定されたビームセクタ内のそれぞれのビームに関するＡＷＶに基づいて特定するステップと、
前記第１のレゾリューションのためのそれぞれの特定されたセクタに関して第１のレゾリューション最良ビームを特定するステップと、
前記アクセスポイント送信機と、前記複数のワイヤレスステーション受信機のうちの少なくとも１つとの間における第２のレゾリューションのためのビームセクタを特定するステップと、
前記第２のレゾリューションのための前記特定されたビームセクタ内のビームを、前記特定されたビームセクタ内のそれぞれのビームに関する前記ＡＷＶに基づいて特定するステップと、
前記第２のレゾリューションのためのそれぞれの特定されたセクタに関して第２のレゾリューション最良ビームを特定するステップと、
前記第１のレゾリューション最良ビームを前記第２のレゾリューション最良ビームと比較することによって最良ビームを特定するステップとを含む方法。
【請求項２】
ＴＲＮ−Ｔサブフィールドを伴う送信ビーム微細化プロトコルフレームを前記ワイヤレスアクセスポイントから前記複数のワイヤレスステーションのうちの前記少なくとも１つへ送信するステップをさらに含む請求項１に記載の方法。
【請求項３】
前記ワイヤレスアクセスポイントにおいて前記複数のワイヤレスステーションのうちの前記少なくとも１つから最良アンテナウェイトベクトル（ＡＷＶ）を受信するステップをさらに含む請求項２に記載の方法。
【請求項４】
前記送信機および受信機セクタスイープから特定された最良セクタを前記ワイヤレスアクセスポイントにおいて前記複数のワイヤレスステーションのうちの前記少なくとも１つから受信するステップを含む請求項３に記載の方法。
【請求項５】
それぞれのビームセクタに関する前記ＡＷＶは事前に定義されている請求項１に記載の方法。
【請求項６】
前記ワイヤレスアクセスポイントは、前記複数のワイヤレスステーションのうちの前記少なくとも１つから受信されたワイヤレスステーショングループ識別情報から第１のレゾリューションのためのビームセクタを特定する請求項１に記載の方法。
【請求項７】
前記ワイヤレスアクセスポイントが、前記第１のレゾリューション、ワイヤレスグループ識別情報、および関連付けられているセクタを前記複数のワイヤレスステーションのうちの前記少なくとも１つに要求するステップをさらに含む請求項１に記載の方法。
【請求項８】
前記第１のレゾリューションのためのビームセクタを、前記特定されたビームセクタ内のそれぞれのビームに関する前記ＡＷＶに基づいて特定するステップは、前記受信されたワイヤレスステーショングループ識別情報および関連付けられているセクタを使用するステップをさらに含む請求項７に記載の方法。
【請求項９】
前記ワイヤレスアクセスポイントは、前記複数のワイヤレスステーションのうちの前記少なくとも１つから受信されたワイヤレスステーショングループ識別情報およびビーム微細化プロトコルフィードバックフレームから第１のレゾリューションのためのビームセクタを特定する請求項１に記載の方法。
【請求項１０】
前記第１のレゾリューションおよび前記第２のレゾリューションは、前記アクセスポイントと、前記複数のワイヤレスステーションのうちの前記少なくとも１つとの間における時分割多重化通信および周波数分割多重化通信のために実行される請求項１に記載の方法。
【請求項１１】
ワイヤレスアクセスポイントと複数のワイヤレスステーションとの間において送信される複数のビームのためのマルチレゾリューションビーム微細化を使用して複数のワイヤレスステーションと通信するためのワイヤレスアクセスポイントであって、
前記ワイヤレスアクセスポイントと前記複数のワイヤレスステーションのうちの少なくとも１つとの間におけるワイヤレスアクセスポイントイニシエータ送信機セクタスイープを前記ワイヤレスアクセスポイントにおいて実行するステップと、
前記複数のワイヤレスステーションのうちの前記少なくとも１つおよび前記ワイヤレスアクセスポイントのための受信機セクタスイープを前記ワイヤレスアクセスポイントにおいて実行するステップと、
前記アクセスポイント送信機と前記複数のワイヤレスステーション受信機のうちの少なくとも１つとの間における第１のレゾリューションのためのビームセクタを特定するステップと、
前記第１のレゾリューションのための前記特定されたビームセクタ内のビームを、前記特定されたビームセクタ内のそれぞれのビームに関するＡＷＶに基づいて特定するステップと、
前記第１のレゾリューションのためのそれぞれの特定されたセクタに関して第１のレゾリューション最良ビームを特定するステップと、
前記アクセスポイント送信機と、前記複数のワイヤレスステーション受信機のうちの少なくとも１つとの間における第２のレゾリューションのためのビームセクタを特定するステップと、
前記第２のレゾリューションのための前記特定されたビームセクタ内のビームを、前記特定されたビームセクタ内のそれぞれのビームに関する前記ＡＷＶに基づいて特定するステップと、
前記第２のレゾリューションのためのそれぞれの特定されたセクタに関して第２のレゾリューション最良ビームを特定するステップと、
前記第１のレゾリューション最良ビームを前記第２のレゾリューション最良ビームと比較することによって最良ビームを特定するステップと
を行うように構成されたプロセッサを備えたワイヤレスアクセスポイント。
【請求項１２】
前記プロセッサは、ＴＲＮ−Ｔサブフィールドを伴う送信ビーム微細化プロトコルフレームを前記ワイヤレスアクセスポイントから前記複数のワイヤレスステーションのうちの前記少なくとも１つへ送信するステップを行うようにさらに構成されている請求項１１に記載のワイヤレスアクセスポイント。
【請求項１３】
前記プロセッサは、前記送信機および受信機セクタスイープから特定された最良アンテナウェイトベクトル（ＡＷＶ）を前記ワイヤレスアクセスポイントにおいて前記複数のワイヤレスステーションのうちの前記少なくとも１つから受信するステップを行うようにさらに構成されている請求項１２に記載のワイヤレスアクセスポイント。
【請求項１４】
前記プロセッサは、前記複数のワイヤレスステーションのうちの前記少なくとも１つから受信されたワイヤレスステーショングループ識別情報から第１のレゾリューションのためのビームセクタを特定するようにさらに構成されている請求項１１に記載のワイヤレスアクセスポイント。
【請求項１５】
前記プロセッサは、前記第１のレゾリューション、ワイヤレスグループ識別情報、および関連付けられているセクタを前記複数のワイヤレスステーションのうちの前記少なくとも１つに要求するステップを行うようにさらに構成されている請求項１１に記載のワイヤレスアクセスポイント。
【請求項１６】
前記プロセッサは、前記第１のレゾリューションのためのビームセクタを、前記特定されたビームセクタ内のそれぞれのビームに関する前記ＡＷＶに基づいて特定するステップを行うようにさらに構成されていることは、前記受信されたワイヤレスステーショングループ識別情報および関連付けられているセクタを使用するステップをさらに含む請求項１５に記載のワイヤレスアクセスポイント。
【請求項１７】
前記プロセッサは、前記複数のワイヤレスステーションのうちの前記少なくとも１つから受信されたワイヤレスステーショングループ識別情報およびビーム微細化プロトコルフィードバックフレームから第１のレゾリューションのためのビームセクタを特定するようにさらに構成されている請求項１１に記載のワイヤレスアクセスポイント。
【請求項１８】
前記第１のレゾリューションおよび前記第２のレゾリューションは、前記アクセスポイントと、前記複数のワイヤレスステーションのうちの前記少なくとも１つとの間における時分割多重化通信および周波数分割多重化通信のために実行される請求項１１に記載のワイヤレスアクセスポイント。
【請求項１９】
マルチレゾリューションビーム微細化プロトコル（ＢＲＰ）を用いて通信を行うためのアクセスポイントであって、
セクタレベルスイープを使用して送信セクタおよび受信セクタを特定するステップと、
前記送信セクタおよび前記受信セクタのうちの少なくとも１つならびに利用可能な送信ビームのサブセットに関連付けられている第１の複数の送信微細化トランザクション（ＴＲＮ−Ｔ）サブフィールドを含む第１のビーム微細化プロトコル（ＢＲＰ）を送信するステップと、
前記第１の複数のＴＲＮ−Ｔサブフィールドからの第１の最良送信ビームを示すステーションからの第１のフィードバックを受信するステップと、
第２のビーム微細化プロトコルのための前記送信セクタに関連付けられているビームをダウンセレクトするステップと、
前記第１の最良送信ビームに基づいて第２の複数のＴＲＮ−Ｔサブフィールドを伴う前記第２のビーム微細化プロトコルを送信するステップと、
前記第２のビーム微細化プロトコルに基づいて第２の最良送信ビームを示す前記ステーションからの第２のフィードバックを受信するステップと
を行うように構成されたプロセッサを備えたアクセスポイント。
【請求項２０】
マルチレゾリューションビーム微細化プロトコル（ＢＲＰ）を使用してアクセスポイントと通信する方法であって、
セクタレベルスイープを使用して送信セクタおよび受信セクタを特定するステップと、
前記送信セクタおよび前記受信セクタのうちの少なくとも１つならびに利用可能な送信ビームのサブセットに関連付けられている第１の複数の送信微細化トランザクション（ＴＲＮ−Ｔ）サブフィールドを含む第１のビーム微細化プロトコル（ＢＲＰ）を送信するステップと、
前記第１の複数のＴＲＮ−Ｔサブフィールドからの第１の最良送信ビームを示すステーションからの第１のフィードバックを受信するステップと、
第２のビーム微細化プロトコルのための前記送信セクタに関連付けられているビームをダウンセレクトするステップと、
前記第１の最良送信ビームに基づいて第２の複数のＴＲＮ−Ｔサブフィールドを伴う前記第２のビーム微細化プロトコルを送信するステップと、
前記第２のビーム微細化プロトコルに基づいて第２の最良送信ビームを示す前記ステーションからの第２のフィードバックを受信するステップとを含む方法。
【発明の詳細な説明】
【技術分野】
【０００１】
ミリメートル波（ｍｍＷ）ワイヤレスローカルエリアネットワーク（ＷＬＡＮ）システムにおけるマルチレゾリューショントレーニングのためのシステム、方法、および手段に関する。
【背景技術】
【０００２】
関連出願の相互参照
本出願は、２０１６年３月１０日に出願された米国特許仮出願第６２／３０６，４４６号明細書、および２０１６年１１月３日に出願された米国特許仮出願第６２／４１６，８８３号明細書に対する優先権およびこれらの仮出願の利益を主張するものであり、これらの仮出願は両方とも、参照によって本明細書に組み込まれている。
【０００３】
ワイヤレスローカルエリアネットワーク（ＷＬＡＮ）は、インフラストラクチャ基本サービスセット（ＢＳＳ）モードおよび独立ＢＳＳ（ＩＢＳＳ）モードなど、オペレーションの複数のモードを有することができる。インフラストラクチャＢＳＳモードにおけるＷＬＡＮは、ＢＳＳのためのアクセスポイント（ＡＰ）を有することができる。１つまたは複数のワイヤレス送信受信ユニット（ＷＴＲＵ）、たとえばステーション（ＳＴＡ）がＡＰに関連付けられることが可能である。ＡＰは、ＢＳＳとの間で出入りするトラフィックを搬送する配信システム（ＤＳ）またはその他のタイプの有線／ワイヤレスネットワークへのアクセスまたはインターフェースを有することができる。ＢＳＳの外部から生じるＳＴＡへのトラフィックは、ＡＰを通じて着信することができ、ＡＰは、そのトラフィックをＳＴＡへ配信することができる。特定のＷＬＡＮシステムにおいては、ＳＴＡからＳＴＡへの通信が発生することが可能である。特定のＷＬＡＮシステムにおいては、ＡＰは、ＳＴＡの役割を果たすことができる。ビームフォーミングがＷＬＡＮデバイスによって使用されることが可能である。現在のビームフォーミング技術は限られている場合がある。
【発明の概要】
【０００４】
たとえば、ミリメートル波（ｍｍＷ）ＷＬＡＮシステムにおけるマルチレゾリューショントレーニングのためのシステム、方法、および手段が開示される。マルチレゾリューションビーム微細化プロトコル（ＭＲ−ＢＲＰ）においては、アクセスポイント／ＰＢＳＳ制御ポイント（ＡＰ／ＰＣＰ）およびステーション（ＳＴＡ）が、たとえば、サブビームレゾリューションを変更することによって、またはサブビームレゾリューションを保持する一方でビームフォーミングトレーニングのレゾリューションをトレーニングのレベル間もしくはステージ間において変更することによって、マルチレゾリューションビームフォーミングトレーニングを実行することができる。サブビームレゾリューションは、たとえば、別々の角度広がりを割り振ることによって、またはアンテナ要素の数をダウンセレクトする一方でトレーニングのレベル間において要素間間隔を一定に保つことによって変更されることが可能である。ビームフォーミングトレーニングのレゾリューションは、たとえば、サブビームをダウンサンプリングすることによって、またはアンテナ要素をダウンサンプリングする一方で要素間間隔を調整することによって変更されることが可能である。ビームフォーミングトレーニング（たとえば、微細化）レベルは、アンテナウェイトベクトル（ＡＷＶ）のレゾリューションを変更することによって、ビームを微細化することができる。ＡＰ／ＰＣＰおよびＳＴＡは、別々のレゾリューションのサブビームを用いてセクタ全体を複数回にわたって探索して、所望のレゾリューションにおけるサブビームの正しいペアを識別することができる。単一のまたは複数のビームに関してＭＲ−ＢＲＰが使用されて、たとえば、順次または並行してＮ個のビームに関してＭ個のサブビーム（ＡＷＶ）を生成することが可能である。ＭＲ−ＢＲＰは、ビームトラッキングのために使用されることが可能である。デバイスは、ＭＲ−ＢＲＰのそれぞれのレベルにおける最良サブビームを保存することができ、以前のレベルにおけるサブビームへ戻る（たとえば、フォールバックする）ことができる。ＭＲ−ＢＲＰシグナリングは、ＭＲ−ＢＲＰの能力、タイプ、フレームフォーマットなどのうちの１つまたは複数を示すことができる。マルチレゾリューションセクタレベルスイープ（ＭＲ−ＳＬＳ）が使用されることが可能である。マルチレゾリューションＢＲＰインプリメンテーション（たとえば、ＢＲＰインターフレームセパレーション（「ＩＦＳ」）、マルチビームまたはマルチチャネルのためのマルチレゾリューションＢＲＰ、およびマルチユーザのためのマルチレゾリューションＢＲＰ）が使用されることが可能である。
【０００５】
マルチレゾリューションビーム微細化プロトコル（ＢＲＰ）を用いて通信を行うためのアクセスポイントが、セクタレベルスイープを使用して送信セクタおよび受信セクタを特定するステップ、送信セクタおよび受信セクタのうちの少なくとも１つならびに利用可能な送信ビームのサブセットに関連付けられている第１の複数の送信微細化トランザクション（ＴＲＮ−Ｔ）サブフィールドを含む第１のビーム微細化プロトコル（ＢＲＰ）を送信するステップ、第１の複数のＴＲＮ−Ｔサブフィールドからの第１の最良送信ビームを示すステーションからの第１のフィードバックを受信するステップ、第２のビーム微細化プロトコルのための送信セクタに関連付けられているビームをダウンセレクトするステップ、第１の最良送信ビームに基づいて第２の複数のＴＲＮ−Ｔサブフィールドを伴う第２のビーム微細化プロトコルを送信するステップ、ならびに第２のビーム微細化プロトコルに基づいて第２の最良送信ビームを示すステーションからの第２のフィードバックを受信するステップのうちの１つまたは複数を（たとえば、実行可能命令を用いて）行うように構成されているプロセッサを含むことができる。
【０００６】
マルチレゾリューションビーム微細化プロトコル（ＢＲＰ）を使用してアクセスポイントと通信する方法が、セクタレベルスイープを使用して送信セクタおよび受信セクタを特定するステップ、送信セクタおよび受信セクタのうちの少なくとも１つならびに利用可能な送信ビームのサブセットに関連付けられている第１の複数の送信微細化トランザクション（ＴＲＮ−Ｔ）サブフィールドを含む第１のビーム微細化プロトコル（ＢＲＰ）を送信するステップ、第１の複数のＴＲＮ−Ｔサブフィールドからの第１の最良送信ビームを示すステーションからの第１のフィードバックを受信するステップ、第２のビーム微細化プロトコルのための送信セクタに関連付けられているビームをダウンセレクトするステップ、第１の最良送信ビームに基づいて第２の複数のＴＲＮ−Ｔサブフィールドを伴う第２のビーム微細化プロトコルを送信するステップ、ならびに第２のビーム微細化プロトコルに基づいて第２の最良送信ビームを示すステーションからの第２のフィードバックを受信するステップのうちの１つまたは複数を含むことができる。
【０００７】
ワイヤレスアクセスポイントと複数のワイヤレスステーションとの間において送信される複数のビームのためのマルチレゾリューションビーム微細化の方法が、ワイヤレスアクセスポイントと、複数のワイヤレスステーションのうちの少なくとも１つとの間におけるワイヤレスアクセスポイントイニシエータ送信機セクタスイープをワイヤレスアクセスポイントにおいて実行するステップ、複数のワイヤレスステーションのうちの少なくとも１つおよびワイヤレスアクセスポイントのための受信機セクタスイープをワイヤレスアクセスポイントにおいて実行するステップ、アクセスポイント送信機と、複数のワイヤレスステーション受信機のうちの少なくとも１つとの間における第１のレゾリューションのためのビームセクタを特定するステップ、第１のレゾリューションのための特定されたビームセクタ内のビームを、特定されたビームセクタ内のそれぞれのビームに関するＡＷＶに基づいて特定するステップ、第１のレゾリューションのためのそれぞれの特定されたセクタに関して第１のレゾリューション最良ビームを特定するステップ、アクセスポイント送信機と、複数のワイヤレスステーション受信機のうちの少なくとも１つとの間における第２のレゾリューションのためのビームセクタを特定するステップ、第２のレゾリューションのための特定されたビームセクタ内のビームを、特定されたビームセクタ内のそれぞれのビームに関するＡＷＶに基づいて特定するステップ、第２のレゾリューションのためのそれぞれの特定されたセクタに関して第２のレゾリューション最良ビームを特定するステップ、ならびに第１のレゾリューション最良ビームを第２のレゾリューション最良ビームと比較することによって最良ビームを特定するステップのうちの１つまたは複数を含むことができる。
【０００８】
ワイヤレスアクセスポイントと複数のワイヤレスステーションとの間において送信される複数のビームのためのマルチレゾリューションビーム微細化を使用して複数のワイヤレスステーションと通信するためのワイヤレスアクセスポイントが、ワイヤレスアクセスポイントと、複数のワイヤレスステーションのうちの少なくとも１つとの間におけるワイヤレスアクセスポイントイニシエータ送信機セクタスイープをワイヤレスアクセスポイントにおいて実行するステップ、複数のワイヤレスステーションのうちの少なくとも１つおよびワイヤレスアクセスポイントのための受信機セクタスイープをワイヤレスアクセスポイントにおいて実行するステップ、アクセスポイント送信機と、複数のワイヤレスステーション受信機のうちの少なくとも１つとの間における第１のレゾリューションのためのビームセクタを特定するステップ、第１のレゾリューションのための特定されたビームセクタ内のビームを、特定されたビームセクタ内のそれぞれのビームに関するＡＷＶに基づいて特定するステップと、第１のレゾリューションのためのそれぞれの特定されたセクタに関して第１のレゾリューション最良ビームを特定するステップ、アクセスポイント送信機と、複数のワイヤレスステーション受信機のうちの少なくとも１つとの間における第２のレゾリューションのためのビームセクタを特定するステップ、第２のレゾリューションのための特定されたビームセクタ内のビームを、特定されたビームセクタ内のそれぞれのビームに関するＡＷＶに基づいて特定するステップ、第２のレゾリューションのためのそれぞれの特定されたセクタに関して第２のレゾリューション最良ビームを特定するステップ、ならびに第１のレゾリューション最良ビームを第２のレゾリューション最良ビームと比較することによって最良ビームを特定するステップのうちの１つまたは複数を（たとえば、実行可能命令を用いて）行うように構成されているプロセッサを含むことができる。
【図面の簡単な説明】
【０００９】
【図１Ａ】例示的なワイヤレスローカルエリアネットワーク（ＷＬＡＮ）デバイスを示す図である。
【図１Ｂ】１つまたは複数の開示されている特徴が実施されることが可能である例示的な通信システムの図である。
【図１Ｃ】例示的なワイヤレス送信／受信ユニット、ＷＴＲＵを示す図である。
【図２】セクタレベルスイープ（ＳＬＳ）トレーニングの例を示す図である。
【図３】セクタスイープ（ＳＳＷ）フレームに関する例示的なフォーマットを示す図である。
【図４】ＳＳＷフレームにおけるＳＳＷフィールドに関する例示的なフォーマットを示す図である。
【図５】ＳＳＷフレームにおけるＳＳＷフィードバックフィールドの例を示す図である。
【図６】ビーム微細化プロトコル（ＢＲＰ）フレームおよびトレーニング（ＴＲＮ）フィールドを搬送する例示的なＰＬＣＰプロトコルデータユニット（ＰＰＤＵ）を示す図である。
【図７】アンテナダウンセレクションの例を示す図である。
【図８】アンテナ要素ダウンセレクションに伴ってビーム幅が増大する２Ｄビームパターンの例を示す図である。
【図９】アンテナ要素ダウンサンプリングの例を示す図である。
【図１０】中心ローブビーム幅が一定のままである一方でアンテナ要素ダウンセレクションに伴うサイドローブに起因してアンテナ利得および指向性が低減される場合がある２Ｄビームパターンの例を示す図である。
【図１１】セクタレベルスイープ（ＳＬＳ）の例を示す図である。
【図１２】ビーム微細化プロトコル（ＢＲＰ）の例を示す図である。
【図１３】ＭＲ−ＢＲＰレベル１の例を示す図である。
【図１４】ＭＲ−ＢＲＰレベル２の例を示す図である。
【図１５】ＭＲ−ＢＲＰレベル３の例を示す図である。
【図１６】９０度の角度広がりを伴うセクタを識別するためのセクタレベルスイープ（ＳＬＳ）の例を示す図である。
【図１７】セクタあたり４個のアンテナウェイトベクトル（ＡＷＶ）および２２．５度の角度広がりを伴うＢＲＰレベル１の例を示す図である。
【図１８】角度広がり５．６２５度でＢＲＰレベル１におけるＡＷＶあたり４個のＡＷＶ、たとえば、セクタあたり１６個のＡＷＶを伴うＢＲＰレベル２の例を示す図である。
【図１９】角度広がり１．０４６度でレベル２におけるＡＷＶあたり４個のＡＷＶ、たとえば、セクタあたり６４個のＡＷＶを伴うＢＲＰレベル３の例を示す図である。
【図２０Ａ】Ｔｘセクタがビーム１９（セクタ１，２，２，３）であってＲｘセクタがビーム４８（セクタ３，３，４，４）である３レベルＭＲ−ＢＲＰインデックス選択を示す例示的なテーブルである。
【図２０Ｂ】Ｔｘセクタがビーム１９（セクタ１，２，２，３）であってＲｘセクタがビーム４８（セクタ３，３，４，４）である３レベルＭＲ−ＢＲＰインデックス選択を示す例示的なテーブルである。
【図２１】最も明るいグレーのサブビーム（ＡＷＶ）によって最良の方向が示されている、４というダウンセレクション係数を伴うＡＷＶダウンセレクションレベル１の例を示す図である。
【図２２】レベル１において選択されたレベルに「最も近い」ＡＷＶをＳＴＡが送信し、かつ最も明るいグレーのＡＷＶが最良の方向であるＡＷＶダウンセレクションレベル２の例を示す図である。
【図２３】４というダウンセレクション係数を伴うＡＷＶダウンセレクションレベル１、反復２の例を示す図である。
【図２４】新たなレベル１において選択されたレベルに「最も近い」ＡＷＶをＳＴＡが送信し、かつ最も明るいグレーのサブビーム（ＡＷＶ）が最良の方向であるＡＷＶダウンセレクションレベル２の例を示す図である。
【図２５】２つのセクタを選択するＳＬＳの例を示す図である。
【図２６】４つのビームを評価して２つのビームを選択するＭＲ−ＢＲＰレベル１の例を示す図である。
【図２７】４つのビームを測定して２つのビームを選択するＭＲ−ＢＲＰレベル２の例を示す図である。
【図２８】４つのビームを測定して２つのビームを選択するＭＲ−ＢＲＰレベル３の例を示す図である。
【図２９】後方互換性があるマルチレゾリューションイニシエータの例を示す図である。
【図３０】マルチレゾリューションビームフォーミングトレーニングに関する複数のＢＲＰフレームの例を示す図である。
【図３１】均一なＩＦＳに応じたＴＸＯＰの例を示す図である。
【図３２】フィードバックと次のＢＲＰ−ＴＸパケットとの間におけるＩＦＳに応じたＴＸＯＰの例を示す図である。
【図３３】さまざまなアレイ／ビームに関するトレーニング能力を伴うＴＲＮフィールドの例を示す図である。
【図３４】ｅＤＭＧビーム微細化要素の例を示す図である。
【図３５】マルチユーザのために拡張されたＴＲＮフィールドの例を示す図である。
【図３６】マルチユーザマルチレゾリューションＢＲＰの例を示す図である。
【発明を実施するための形態】
【００１０】
次いで、さまざまな図を参照しながら、例示的な実施形態の詳細な説明が記述されることになる。この説明は、可能な実施態様の詳細な例を提供するが、それらの詳細は、例示的なものであること、および本出願の範囲をまったく限定しないことを意図されているという点に留意されたい。
【００１１】
図１Ａは、例示的なワイヤレスローカルエリアネットワーク（ＷＬＡＮ）デバイスを示している。これらのデバイスのうちの１つまたは複数は、本明細書において記述されている特徴のうちの１つまたは複数を実施するために使用されることが可能である。このＷＬＡＮは、アクセスポイント（ＡＰ）１０２、ステーション（ＳＴＡ）１１０、およびＳＴＡ１１２を含むことができるが、それらには限定されない。ＳＴＡ１１０および１１２は、ＡＰ１０２に関連付けられることが可能である。このＷＬＡＮは、チャネルアクセス方式、たとえば、ＤＳＳＳ、ＯＦＤＭ、ＯＦＤＭＡなどを含むことができるＩＥＥＥ８０２．１１通信標準の１つまたは複数のプロトコルを実施するように構成されることが可能である。ＷＬＡＮは、たとえば、インフラストラクチャモード、アドホックモードなどのモードにおいて動作することができる。
【００１２】
インフラストラクチャモードにおいて動作するＷＬＡＮは、１つまたは複数の関連付けられているＳＴＡと通信する１つまたは複数のＡＰを含むことができる。ＡＰ、およびそのＡＰに関連付けられているＳＴＡは、基本サービスセット（ＢＳＳ）を含むことができる。たとえば、ＡＰ１０２、ＳＴＡ１１０、およびＳＴＡ１１２は、ＢＳＳ１２２を含むことができる。拡張サービスセット（ＥＳＳ）は、（１つまたは複数のＢＳＳを伴う）１つまたは複数のＡＰと、それらのＡＰに関連付けられているＳＴＡとを含むことができる。ＡＰは、配信システム（ＤＳ）１１６へのアクセスおよび／またはインターフェースを有することができ、配信システム（ＤＳ）１１６は、有線および／またはワイヤレスであることが可能であり、ＡＰへのおよび／またはＡＰからのトラフィックを搬送することができる。ＷＬＡＮの外部から生じるＷＬＡＮ内のＳＴＡへのトラフィックは、ＷＬＡＮ内のＡＰにおいて受信されることが可能であり、ＡＰは、そのトラフィックをＷＬＡＮ内のＳＴＡへ送信することができる。ＷＬＡＮ内のＳＴＡから生じるＷＬＡＮの外部の宛先への、たとえばサーバ１１８へのトラフィックは、ＷＬＡＮ内のＡＰへ送信されることが可能であり、ＡＰは、そのトラフィックを宛先へ送信すること、たとえば、ＤＳ１１６を介してネットワーク１１４へ送信してサーバ１１８へ送信されるようにすることが可能である。ＷＬＡＮ内のＳＴＡ間におけるトラフィックは、１つまたは複数のＡＰを通じて送信されることが可能である。たとえば、ソースＳＴＡ（たとえば、ＳＴＡ１１０）が、宛先ＳＴＡ（たとえば、ＳＴＡ１１２）に向けられているトラフィックを有する場合がある。ＳＴＡ１１０は、そのトラフィックをＡＰ１０２へ送信することができ、ＡＰ１０２は、そのトラフィックをＳＴＡ１１２へ送信することができる。
【００１３】
ＷＬＡＮは、アドホックモードにおいて動作することができる。アドホックモードＷＬＡＮは、独立基本サービスセット（ＩＢＳＳ）と呼ばれる場合がある。アドホックモードＷＬＡＮにおいては、ＳＴＡ同士は、互いに直接に通信することができる（たとえば、ＳＴＡ１１０は、ＳＴＡ１１２と通信することを、そのような通信がＡＰを通じて回送されることなく行うことができる）。
【００１４】
ＩＥＥＥ８０２．１１デバイス（たとえば、ＢＳＳ内のＩＥＥＥ８０２．１１  ＡＰ）は、ビーコンフレームを使用して、ＷＬＡＮネットワークの存在を知らせることができる。ＡＰ１０２などのＡＰは、チャネル、たとえば、プライマリチャネルなどの固定されたチャネル上でビーコンを送信することができる。ＳＴＡは、プライマリチャネルなどのチャネルを使用して、ＡＰとの接続を確立することができる。
【００１５】
ＳＴＡおよび／またはＡＰは、搬送波感知多重アクセス／衝突回避方式（ＣＳＭＡ／ＣＡ）チャネルアクセスメカニズムを使用することができる。ＣＳＭＡ／ＣＡにおいては、ＳＴＡおよび／またはＡＰが、プライマリチャネルを感知することができる。たとえば、ＳＴＡが、送信するためのデータを有している場合には、そのＳＴＡは、プライマリチャネルを感知することができる。プライマリチャネルがビジーであると検知された場合には、ＳＴＡは、手を引くことができる。たとえば、ＷＬＡＮまたはその部分は、１つのＳＴＡが、たとえば所与のＢＳＳ内で、所与の時点において送信を行うことができるように構成されることが可能である。チャネルアクセスは、ＲＴＳおよび／またはＣＴＳシグナリングを含むことができる。たとえば、送信デバイスによって送信されることが可能な送信要求（ＲＴＳ）フレームおよび、受信デバイスによって送信されることが可能な送信可（ＣＴＳ）フレームのやり取りである。たとえば、ＡＰが、ＳＴＡへ送信するためのデータを有している場合には、そのＡＰは、ＲＴＳフレームをＳＴＡへ送信することができる。ＳＴＡがデータを受信する用意が整っている場合には、そのＳＴＡは、ＣＴＳフレームを用いて応答することができる。ＣＴＳフレームは、時間値を含むことができ、その時間値は、メディアにアクセスすることを控えるようその他のＳＴＡに警告することができ、その間に、ＲＴＳを開始しているＡＰは、自分のデータを送信することができる。ＳＴＡからＣＴＳフレームを受信すると、ＡＰは、データをＳＴＡへ送信することができる。
【００１６】
デバイスは、ネットワーク割り当てベクトル（ＮＡＶ）フィールドを介してスペクトルを確保することができる。たとえば、ＩＥＥＥ８０２．１１フレームにおいては、ＮＡＶフィールドが使用されて、タイムピリオドに関するチャネルを確保することが可能である。データを送信したいと望むＳＴＡは、自分がそのチャネルを使用すると予想することができる時間にＮＡＶを設定することができる。ＳＴＡがＮＡＶを設定する場合には、ＮＡＶは、関連付けられているＷＬＡＮまたはそのサブセット（たとえば、ＢＳＳ）に関して設定されることが可能である。その他のＳＴＡは、ＮＡＶをゼロまでカウントダウンすることができる。カウンタがゼロという値に達した場合には、ＮＡＶ機能性は、そのチャネルが現在は利用可能であるということをその他のＳＴＡに示すことができる。
【００１７】
ＡＰまたはＳＴＡなど、ＷＬＡＮ内のデバイスは、プロセッサ、メモリ、無線受信機および／または送信機（たとえば、それらはトランシーバにおいて組み合わされることが可能である）、１つまたは複数のアンテナ（たとえば、図１Ａにおけるアンテナ１０６）などのうちの１つまたは複数を含むことができる。プロセッサ機能は、１つまたは複数のプロセッサを含むことができる。たとえば、プロセッサは、汎用プロセッサ、専用プロセッサ（たとえば、ベースバンドプロセッサ、ＭＡＣプロセッサなど）、デジタルシグナルプロセッサ（ＤＳＰ）、特定用途向け集積回路（ＡＳＩＣ）、フィールドプログラマブルゲートアレイ（ＦＰＧＡ）回路、その他の任意のタイプの集積回路（ＩＣ）、状態マシンなどのうちの１つまたは複数を含むことができる。１つまたは複数のプロセッサは、互いに統合されること、または統合されないことが可能である。プロセッサ（たとえば、１つまたは複数のプロセッサまたはそのサブセット）は、１つまたは複数のその他の機能（たとえば、メモリなどのその他の機能）と統合されることが可能である。プロセッサは、信号コーディング、データ処理、パワー制御、入力／出力処理、変調、復調、および／または、デバイスが図１ＡのＷＬＡＮなどのワイヤレス環境において動作することを可能にすることができるその他の任意の機能性を実行することができる。プロセッサは、たとえば、ソフトウェア命令および／またはファームウェア命令を含むプロセッサ実行可能コード（たとえば、命令）を実行するように構成されることが可能である。たとえば、プロセッサは、プロセッサ（たとえば、メモリおよびプロセッサを含むチップセット）またはメモリのうちの１つまたは複数の上に含まれているコンピュータ可読命令を実行するように構成されることが可能である。それらの命令の実行は、本明細書において記述されている機能のうちの１つまたは複数をデバイスに実行させることができる。
【００１８】
デバイスは、１つまたは複数のアンテナを含むことができる。デバイスは、多入力多出力（ＭＩＭＯ）技術を採用することができる。１つまたは複数のアンテナは、無線信号を受信することができる。プロセッサは、たとえば、１つまたは複数のアンテナを介して無線信号を受信することができる。１つまたは複数のアンテナは、（たとえば、プロセッサから送信された信号に基づいて）無線信号を送信することができる。
【００１９】
デバイスは、プロセッサ実行可能コードまたは命令（たとえば、ソフトウェア、ファームウェアなど）、電子データ、データベース、またはその他のデジタル情報などのプログラミングおよび／またはデータを格納するための１つまたは複数のデバイスを含むことができるメモリを有することができる。メモリは、１つまたは複数のメモリユニットを含むことができる。１つまたは複数のメモリユニットは、その他の１つまたは複数の機能（たとえば、プロセッサなどのデバイス内に含まれているその他の機能）と統合されることが可能である。メモリは、読み取り専用メモリ（ＲＯＭ）（たとえば、消去可能プログラム可能読み取り専用メモリ（ＥＰＲＯＭ）、電気的消去可能プログラム可能読み取り専用メモリ（ＥＥＰＲＯＭ）など）、ランダムアクセスメモリ（ＲＡＭ）、磁気ディスクストレージメディア、光ストレージメディア、フラッシュメモリデバイス、および／または、情報を格納するためのその他の非一時的コンピュータ可読メディアを含むことができる。メモリは、プロセッサに結合されることが可能である。プロセッサは、たとえば、システムバスを介して、直接に、などの形でメモリの１つまたは複数のエンティティと通信することができる。
【００２０】
図１Ｂは、１つまたは複数の開示されている特徴が実施されることが可能である例示的な通信システム１００の図である。たとえば、ワイヤレスネットワーク（たとえば、通信システム１００の１つまたは複数のコンポーネントを含むワイヤレスネットワーク）は、そのワイヤレスネットワークを超えて（たとえば、そのワイヤレスネットワークに関連付けられているウォールドガーデンを超えて）拡張するベアラがＱｏＳ特徴を割り振られることが可能であるように構成されることが可能である。
【００２１】
通信システム１００は、コンテンツ、たとえば、音声、データ、ビデオ、メッセージング、放送などを複数のワイヤレスユーザに提供するマルチプルアクセスシステムであることが可能である。通信システム１００は、複数のワイヤレスユーザが、ワイヤレス帯域幅を含むシステムリソースの共有を通じてそのようなコンテンツにアクセスすることを可能にすることができる。たとえば、通信システム１００は、１つまたは複数のチャネルアクセス方法、たとえば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などを採用することができる。
【００２２】
図１Ｂにおいて示されているように、通信システム１００は、複数のＷＴＲＵ、たとえば、ＷＴＲＵ１０２ａ、１０２ｂ、１０２ｃ、および１０２ｄなど、少なくとも１つのワイヤレス送信／受信ユニット（ＷＴＲＵ）、無線アクセスネットワーク（ＲＡＮ）１０４、コアネットワーク１０６、公衆交換電話ネットワーク（ＰＳＴＮ）１０８、インターネット１１０、およびその他のネットワーク１１２を含むことができるが、開示されている実施形態は、任意の数のＷＴＲＵ、基地局、ネットワーク、および／またはネットワーク要素を想定しているということを理解されたい。ＷＴＲＵ１０２ａ、１０２ｂ、１０２ｃ、１０２ｄのそれぞれは、ワイヤレス環境において動作および／または通信を行うように構成されている任意のタイプのデバイスであることが可能である。例として、ＷＴＲＵ１０２ａ、１０２ｂ、１０２ｃ、１０２ｄは、ワイヤレス信号を送信および／または受信するように構成されることが可能であり、ユーザ機器（ＵＥ）、移動局（たとえば、ＷＬＡＮ  ＳＴＡ）、固定式または移動式のサブスクライバユニット、ページャ、セルラー電話、携帯情報端末（ＰＤＡ）、スマートフォン、ラップトップ、ネットブック、パーソナルコンピュータ、ワイヤレスセンサ、家庭用電化製品などを含むことができる。
【００２３】
通信システム１００は、基地局１１４ａおよび基地局１１４ｂを含むこともできる。基地局１１４ａ、１１４ｂのそれぞれは、１つまたは複数の通信ネットワーク、たとえば、コアネットワーク１０６、インターネット１１０、および／またはネットワーク１１２へのアクセスを容易にするために、ＷＴＲＵ１０２ａ、１０２ｂ、１０２ｃ、１０２ｄのうちの少なくとも１つとワイヤレスにインターフェース接続するように構成されている任意のタイプのデバイスであることが可能である。例として、基地局１１４ａ、１１４ｂは、ベーストランシーバステーション（ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、ワイヤレスルータなどであることが可能である。基地局１１４ａ、１１４ｂは、それぞれ単一の要素として示されているが、基地局１１４ａ、１１４ｂは、任意の数の相互接続された基地局および／またはネットワーク要素を含むことができるということを理解されたい。
【００２４】
基地局１１４ａは、ＲＡＮ１０４の一部であることが可能であり、ＲＡＮ１０４は、その他の基地局および／またはネットワーク要素（図示せず）、たとえば、基地局コントローラ（ＢＳＣ）、無線ネットワークコントローラ（ＲＮＣ）、中継ノードなどを含むこともできる。基地局１１４ａおよび／または基地局１１４ｂは、特定の地理的領域内でワイヤレス信号を送信および／または受信するように構成されることが可能であり、その地理的領域は、セル（図示せず）と呼ばれる場合がある。セルは、セルセクタへとさらに分割されることが可能である。たとえば、基地局１１４ａに関連付けられているセルは、３つのセクタへと分割されることが可能である。したがって一実施形態においては、基地局１１４ａは、３つのトランシーバ、すなわち、セルのそれぞれのセクタごとに１つのトランシーバを含むことができる。別の実施形態においては、基地局１１４ａは、多入力多出力（ＭＩＭＯ）技術を採用することができ、したがって、セルのそれぞれのセクタごとに複数のトランシーバを利用することができる。
【００２５】
基地局１１４ａ、１１４ｂは、エアインターフェース１１６を介してＷＴＲＵ１０２ａ、１０２ｂ、１０２ｃ、１０２ｄのうちの１つまたは複数と通信することができ、エアインターフェース１１６は、任意の適切なワイヤレス通信リンク（たとえば、無線周波数（ＲＦ）、マイクロ波、赤外線（ＩＲ）、紫外線（ＵＶ）、可視光など）であることが可能である。エアインターフェース１１６は、任意の適切な無線アクセス技術（ＲＡＴ）を使用して確立されることが可能である。
【００２６】
より具体的には、上述されているように、通信システム１００は、マルチプルアクセスシステムであることが可能であり、１つまたは複数のチャネルアクセス方式、たとえば、ＣＤＭＡ、ＴＤＭＡ、ＦＤＭＡ、ＯＦＤＭＡ、ＳＣ−ＦＤＭＡなどを採用することができる。たとえば、ＲＡＮ１０４内の基地局１１４ａ、およびＷＴＲＵ１０２ａ、１０２ｂ、１０２ｃは、ユニバーサルモバイルテレコミュニケーションズシステム（ＵＭＴＳ）テレストリアルラジオアクセス（ＵＴＲＡ）などの無線技術を実施することができ、この無線技術は、ワイドバンドＣＤＭＡ（ＷＣＤＭＡ）を使用してエアインターフェース１１６を確立することができる。ＷＣＤＭＡは、ハイスピードパケットアクセス（ＨＳＰＡ）および／またはエボルブドＨＳＰＡ（ＨＳＰＡ＋）などの通信プロトコルを含むことができる。ＨＳＰＡは、ハイスピードダウンリンクパケットアクセス（ＨＳＤＰＡ）および／またはハイスピードアップリンクパケットアクセス（ＨＳＵＰＡ）を含むことができる。
【００２７】
別の実施形態においては、基地局１１４ａおよびＷＴＲＵ１０２ａ、１０２ｂ、１０２ｃは、エボルブドＵＭＴＳテレストリアルラジオアクセス（Ｅ−ＵＴＲＡ）などの無線技術を実施することができ、この無線技術は、ロングタームエボリューション（ＬＴＥ）および／またはＬＴＥアドバンスト（ＬＴＥ−Ａ）を使用してエアインターフェース１１６を確立することができる。
【００２８】
その他の実施形態においては、基地局１１４ａおよびＷＴＲＵ１０２ａ、１０２ｂ、１０２ｃは、無線技術、たとえば、ＩＥＥＥ  ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、グローバルシステムフォーモバイルコミュニケーションズ（ＧＳＭ）、エンハンストデータレートフォーＧＳＭエボリューション（ＥＤＧＥ）、ＧＳＭ  ＥＤＧＥ（ＧＥＲＡＮ）などを実施することができる。
【００２９】
図１Ｂにおける基地局１１４ｂは、たとえば、ワイヤレスルータ、ホームＮｏｄｅ  Ｂ、ホームｅＮｏｄｅ  Ｂ、またはアクセスポイントであることが可能であり、局所的なエリア、たとえば、事業所、家庭、乗り物、キャンパスなどにおけるワイヤレス接続を容易にするために、任意の適切なＲＡＴを利用することができる。一実施形態においては、基地局１１４ｂおよびＷＴＲＵ１０２ｃ、１０２ｄは、ワイヤレスローカルエリアネットワーク（ＷＬＡＮ）を確立するために、ＩＥＥＥ  ８０２．１１などの無線技術を実施することができる。別の実施形態においては、基地局１１４ｂおよびＷＴＲＵ１０２ｃ、１０２ｄは、ワイヤレスパーソナルエリアネットワーク（ＷＰＡＮ）を確立するために、ＩＥＥＥ  ８０２．１５などの無線技術を実施することができる。さらに別の実施形態においては、基地局１１４ｂおよびＷＴＲＵ１０２ｃ、１０２ｄは、ピコセルまたはフェムトセルを確立するために、セルラーベースのＲＡＴ（たとえば、ＷＣＤＭＡ、ＣＤＭＡ２０００、ＧＳＭ、ＬＴＥ、ＬＴＥ−Ａなど）を利用することができる。図１Ｂにおいて示されているように、基地局１１４ｂは、インターネット１１０への直接接続を有することができる。したがって基地局１１４ｂは、コアネットワーク１０６を介してインターネット１１０にアクセスすることを求められないことが可能である。
【００３０】
ＲＡＮ１０４は、コアネットワーク１０６と通信状態にあることが可能であり、コアネットワーク１０６は、音声、データ、アプリケーション、および／またはボイスオーバーインターネットプロトコル（ＶｏＩＰ）サービスをＷＴＲＵ１０２ａ、１０２ｂ、１０２ｃ、１０２ｄのうちの１つまたは複数に提供するように構成されている任意のタイプのネットワークであることが可能である。たとえば、コアネットワーク１０６は、呼制御、料金請求サービス、モバイルロケーションベースサービス、プリペイドコーリング、インターネット接続、ビデオ配信などを提供すること、および／またはハイレベルセキュリティ機能、たとえばユーザ認証を実行することが可能である。図１Ｂにおいては示されていないが、ＲＡＮ１０４および／またはコアネットワーク１０６は、ＲＡＮ１０４と同じＲＡＴまたは異なるＲＡＴを採用しているその他のＲＡＮと直接または間接の通信状態にあることが可能であるということを理解されたい。たとえば、コアネットワーク１０６は、Ｅ−ＵＴＲＡ無線技術を利用している可能性があるＲＡＮ１０４に接続されていることに加えて、ＧＳＭ無線技術を採用している別のＲＡＮ（図示せず）と通信状態にあることも可能である。
【００３１】
コアネットワーク１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとしての役割を果たすこともできる。ＰＳＴＮ１０８は、単純旧式電話サービス（ＰＯＴＳ）を提供する回線交換電話ネットワークを含むことができる。インターネット１１０は、一般的な通信プロトコル、たとえば、トランスミッションコントロールプロトコル（ＴＣＰ）、ユーザデータグラムプロトコル（ＵＤＰ）およびＴＣＰ／ＩＰインターネットプロトコルスイートにおけるインターネットプロトコル（ＩＰ）を使用する相互接続されたコンピュータネットワークおよびデバイスからなるグローバルシステムを含むことができる。ネットワーク１１２は、その他のサービスプロバイダによって所有および／または運営されている有線またはワイヤレスの通信ネットワークを含むことができる。たとえば、ネットワーク１１２は、ＲＡＮ１０４と同じＲＡＴまたは異なるＲＡＴを採用している可能性がある１つまたは複数のＲＡＮに接続されている別のコアネットワークを含むことができる。
【００３２】
通信システム１００内のＷＴＲＵ１０２ａ、１０２ｂ、１０２ｃ、１０２ｄのうちのいくつかまたはすべては、マルチモード機能を含むことができ、すなわち、ＷＴＲＵ１０２ａ、１０２ｂ、１０２ｃ、１０２ｄは、別々のワイヤレスリンクを介して別々のワイヤレスネットワークと通信するために複数のトランシーバを含むことができる。たとえば、図１Ｂにおいて示されているＷＴＲＵ１０２ｃは、セルラーベースの無線技術を採用している可能性がある基地局１１４ａと、およびＩＥＥＥ  ８０２無線技術を採用している可能性がある基地局１１４ｂと通信するように構成されることが可能である。
【００３３】
図１Ｃは、例示的なワイヤレス送信／受信ユニット、ＷＴＲＵ１０２を示している。ＷＴＲＵは、ユーザ機器（ＵＥ）、移動局、ＷＬＡＮ  ＳＴＡ、固定式または移動式のサブスクライバユニット、ページャ、セルラー電話、携帯情報端末（ＰＤＡ）、スマートフォン、ラップトップ、ネットブック、パーソナルコンピュータ、ワイヤレスセンサ、家庭用電化製品などであることが可能である。ＷＴＲＵ１０２は、本明細書において記述されている通信システムのうちの１つまたは複数において使用されることが可能である。図１Ｃにおいて示されているように、ＷＴＲＵ１０２は、プロセッサ１１８、トランシーバ１２０、送信／受信要素１２２、スピーカ／マイクロフォン１２４、キーパッド１２６、ディスプレイ／タッチパッド１２８、取り外し不能メモリ１３０、取り外し可能メモリ１３２、電源１３４、グローバルポジショニングシステム（ＧＰＳ）チップセット１３６、およびその他の周辺機器１３８を含むことができる。ＷＴＲＵ１０２は、実施形態との整合性を保持しながら、上述の要素同士の任意の下位組合せを含むことができるということを理解されたい。
【００３４】
プロセッサ１１８は、汎用プロセッサ、専用プロセッサ、従来型プロセッサ、デジタルシグナルプロセッサ（ＤＳＰ）、複数のマイクロプロセッサ、ＤＳＰコアと関連付けられている１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、その他の任意のタイプの集積回路（ＩＣ）、状態マシンなどであることが可能である。プロセッサ１１８は、信号コーディング、データ処理、パワー制御、入力／出力処理、および／または、ＷＴＲＵ１０２がワイヤレス環境において動作することを可能にするその他の任意の機能性を実行することができる。プロセッサ１１８は、トランシーバ１２０に結合されることが可能であり、トランシーバ１２０は、送信／受信要素１２２に結合されることが可能である。図１Ｃは、プロセッサ１１８とトランシーバ１２０を別々のコンポーネントとして示しているが、プロセッサ１１８とトランシーバ１２０は、電子パッケージまたはチップ内にともに統合されることが可能であるということを理解されたい。
【００３５】
送信／受信要素１２２は、エアインターフェース１１６を介して、基地局（たとえば、基地局１１４ａ）に信号を送信するように、または基地局（たとえば、基地局１１４ａ）から信号を受信するように構成されることが可能である。たとえば、一実施形態においては、送信／受信要素１２２は、ＲＦ信号を送信および／または受信するように構成されているアンテナであることが可能である。別の実施形態においては、送信／受信要素１２２は、たとえば、ＩＲ信号、ＵＶ信号、または可視光信号を送信および／または受信するように構成されているエミッタ／検知器であることが可能である。さらに別の実施形態においては、送信／受信要素１２２は、ＲＦ信号および光信号の両方を送信および受信するように構成されることが可能である。送信／受信要素１２２は、ワイヤレス信号の任意の組合せを送信および／または受信するように構成されることが可能であるということを理解されたい。
【００３６】
加えて、送信／受信要素１２２は、図１Ｃにおいては単一の要素として示されているが、ＷＴＲＵ１０２は、任意の数の送信／受信要素１２２を含むことができる。より具体的には、ＷＴＲＵ１０２は、ＭＩＭＯ技術を採用することができる。したがって、一実施形態においては、ＷＴＲＵ１０２は、エアインターフェース１１６を介してワイヤレス信号を送信および受信するために、複数の送信／受信要素１２２（たとえば、複数のアンテナ）を含むことができる。
【００３７】
トランシーバ１２０は、送信／受信要素１２２によって送信されることになる信号を変調するように、および送信／受信要素１２２によって受信される信号を復調するように構成されることが可能である。上述されているように、ＷＴＲＵ１０２は、マルチモード機能を有することができる。したがってトランシーバ１２０は、ＷＴＲＵ１０２が、たとえばＵＴＲＡおよびＩＥＥＥ  ８０２．１１などの複数のＲＡＴを介して通信することを可能にするために複数のトランシーバを含むことができる。
【００３８】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニットもしくは有機発光ダイオード（ＯＬＥＤ）ディスプレイユニット）に結合されることが可能であり、そこからユーザ入力データを受信することができる。プロセッサ１１８は、ユーザデータをスピーカ／マイクロフォン１２４、キーパッド１２６、および／またはディスプレイ／タッチパッド１２８へ出力することもできる。加えて、プロセッサ１１８は、任意のタイプの適切なメモリ、たとえば、取り外し不能メモリ１３０および／または取り外し可能メモリ１３２からの情報にアクセスすること、およびそれらのメモリにデータを格納することが可能である。取り外し不能メモリ１３０は、ランダムアクセスメモリ（ＲＡＭ）、読み取り専用メモリ（ＲＯＭ）、ハードディスク、またはその他の任意のタイプのメモリストレージデバイスを含むことができる。取り外し可能メモリ１３２は、サブスクライバアイデンティティモジュール（ＳＩＭ）カード、メモリスティック、セキュアデジタル（ＳＤ）メモリカードなどを含むことができる。その他の実施形態においては、プロセッサ１１８は、ＷＴＲＵ１０２上に物理的に配置されていない、たとえば、サーバまたはホームコンピュータ（図示せず）上のメモリからの情報にアクセスすること、およびそのメモリにデータを格納することが可能である。
【００３９】
プロセッサ１１８は、電源１３４から電力を受け取ることができ、ＷＴＲＵ１０２内のその他のコンポーネントへの電力を分配および／または制御するように構成されることが可能である。電源１３４は、ＷＴＲＵ１０２に電力供給するための任意の適切なデバイスであることが可能である。たとえば、電源１３４は、１つまたは複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含むことができる。
【００４０】
プロセッサ１１８は、ＧＰＳチップセット１３６に結合されることも可能であり、ＧＰＳチップセット１３６は、ＷＴＲＵ１０２の現在のロケーションに関するロケーション情報（たとえば、経度および緯度）を提供するように構成されることが可能である。ＷＴＲＵ１０２は、ＧＰＳチップセット１３６からの情報に加えて、またはその情報の代わりに、基地局（たとえば、基地局１１４ａ、１１４ｂ）からエアインターフェース１１６を介してロケーション情報を受信すること、および／または複数の近隣の基地局から受信されている信号のタイミングに基づいて自分のロケーションを特定することが可能である。ＷＴＲＵ１０２は、実施形態との整合性を保持しながら、任意の適切なロケーション特定方法を通じてロケーション情報を取得することができるということを理解されたい。
【００４１】
プロセッサ１１８は、その他の周辺機器１３８にさらに結合されることが可能であり、その他の周辺機器１３８は、さらなる特徴、機能性、および／または有線接続もしくはワイヤレス接続を提供する１つまたは複数のソフトウェアモジュールおよび／またはハードウェアモジュールを含むことができる。たとえば、周辺機器１３８は、加速度計、ｅコンパス、衛星トランシーバ、デジタルカメラ（写真またはビデオ用）、ユニバーサルシリアルバス（ＵＳＢ）ポート、振動デバイス、テレビジョントランシーバ、ハンドフリーヘッドセット、Ｂｌｕｅｔｏｏｔｈ（登録商標）モジュール、周波数変調（ＦＭ）ラジオユニット、デジタルミュージックプレーヤ、メディアプレーヤ、ビデオゲームプレーヤモジュール、インターネットブラウザなどを含むことができる。
【００４２】
たとえば、ミリメートル波（ｍｍＷ）ＷＬＡＮシステムにおけるマルチレゾリューショントレーニングのためのシステム、方法、および手段が開示される。マルチレゾリューションビーム微細化プロトコル（ＭＲ−ＢＲＰ）においては、アクセスポイント（ＡＰ）／ＰＢＳＳ制御ポイント（ＰＣＰ）およびステーション（ＳＴＡ）が、たとえば、サブビームレゾリューションを変更することによって、またはサブビームレゾリューションを保持する一方でビームフォーミングトレーニングのレゾリューションをトレーニングのレベル間もしくはステージ間において変更することによって、マルチレゾリューションビームフォーミングトレーニングを実行することができる。サブビームレゾリューションは、たとえば、別々の角度広がりを割り振ることによって、またはアンテナ要素の数をダウンセレクトする一方でトレーニングのレベル間において要素間間隔を一定に保つことによって変更されることが可能である。ビームフォーミングトレーニングのレゾリューションは、たとえば、サブビームをダウンサンプリングすることによって、またはアンテナ要素をダウンサンプリングする一方で要素間間隔を調整することによって変更されることが可能である。ビームフォーミングトレーニング（たとえば、微細化）レベルは、アンテナウェイトベクトル（ＡＷＶ）のレゾリューションを変更することによって、ビームを微細化することができる。ＡＰ／ＰＣＰおよびＳＴＡは、別々のレゾリューションのサブビームを用いてセクタ全体を複数回にわたって探索して、所望のレゾリューションにおけるサブビームの正しいペアを識別することができる。単一のまたは複数のビームに関してＭＲ−ＢＲＰが使用されて、たとえば、順次または並行してＮ個のビームに関してＭ個のサブビーム（ＡＷＶ）を生成することが可能である。ＭＲ−ＢＲＰは、ビームトラッキングのために使用されることが可能である。デバイスは、ＭＲ−ＢＲＰのそれぞれのレベルにおける最良サブビームを保存することができ、以前のレベルにおけるサブビームへ戻る（フォールバックする）ことができる。ＭＲ−ＢＲＰシグナリングは、ＭＲ−ＢＲＰの能力、タイプ、フレームフォーマットなどを示すことができる。
【００４３】
ＷＬＡＮは、ＢＳＳのためのアクセスポイント（ＡＰ／ＰＣＰ）と、そのＡＰ／ＰＣＰに関連付けられている１つまたは複数のステーション（ＳＴＡ）とを有することができるインフラストラクチャ基本サービスセット（ＢＳＳ）モードを有することができる。ＡＰ／ＰＣＰは、ＢＳＳとの間で出入りするトラフィックを搬送することができる配信システム（ＤＳ）または別のタイプの有線／ワイヤレスネットワークへのアクセスまたはインターフェースを有することができる。ＢＳＳの外部から生じる場合があるＳＴＡへのトラフィックは、ＡＰ／ＰＣＰを通じて着信することができ、ＳＴＡへ配信されることが可能である。ＳＴＡから生じる場合があるＢＳＳの外部の宛先へのトラフィックは、ＡＰ／ＰＣＰへ送信されることが可能であり、それぞれの宛先へ配信されることが可能である。ＢＳＳ内のＳＴＡ間におけるトラフィックは、ＡＰ／ＰＣＰを通じて送信されることも可能であり、この場合、ソースＳＴＡは、トラフィックをＡＰ／ＰＣＰへ送信することができ、ＡＰ／ＰＣＰは、そのトラフィックを宛先ＳＴＡへ配信することができる。ＢＳＳ内のＳＴＡ間におけるトラフィックは、ピアツーピアトラフィックであることが可能である。ピアツーピアトラフィックは、８０２．１１ｅ  ＤＬＳまたは８０２．１１ｚトンネルドＤＬＳ（ＴＤＬＳ）を使用するダイレクトリンクセットアップ（ＤＬＳ）を用いてソースＳＴＡと宛先ＳＴＡとの間において送信されることが可能であり、直接に送信されることが可能である。ＷＬＡＮは、独立ＢＳＳ（ＩＢＳＳ）モードを使用することができ、ＡＰ／ＰＣＰ、および／またはＳＴＡを有さないことが可能であり、別のＷＬＡＮと直接に通信することができる。通信のこのモードは、通信の「アドホック」モードと呼ばれる場合がある。
【００４４】
ＡＰ／ＰＣＰは、オペレーションの８０２．１１ａｃインフラストラクチャモードを使用することができる。ＡＰ／ＰＣＰは、ビーコンを送信することができ、固定されたチャネル上でそれを行うことができる。その固定されたチャネルは、プライマリチャネルであることが可能である。そのチャネルは、２０ＭＨｚ幅であることが可能であり、ＢＳＳの動作チャネルであることが可能である。そのチャネルは、ＳＴＡによって使用されることが可能であり、ＡＰ／ＰＣＰとの接続を確立するために使用されることが可能である。８０２．１１システムにおける基本的なチャネルアクセスメカニズムは、搬送波感知多重アクセス／衝突回避方式（ＣＳＭＡ／ＣＡ）であることが可能である。ＣＳＭＡ／ＣＡにおいては、ＡＰ／ＰＣＰを含むＳＴＡ（たとえば、あらゆるＳＴＡ）が、プライマリチャネルを感知することができる。そのチャネルは、ビジーであると検知される場合がある。ＳＴＡは、手を引くことができ、そのチャネルがビジーであると検知された場合に手を引くことができる。１つのＳＴＡは、（たとえば、ＣＳＭＡ／ＣＡを使用して）所与のＢＳＳ内で任意の所与の時点において送信を行うことができる。
【００４５】
８０２．１１ｎにおいては、ハイスループット（ＨＴ）ＳＴＡが、通信のために４０ＭＨｚ幅のチャネルを使用することもできる。これは、プライマリ２０ＭＨｚチャネルを隣の２０ＭＨｚチャネルと組み合わせて４０ＭＨｚ幅の連続したチャネルを形成することによって達成されることが可能である。
【００４６】
８０２．１１ａｃにおいては、ベリーハイスループット（ＶＨＴ）ＳＴＡが、２０ＭＨｚ、４０ＭＨｚ、８０ＭＨｚ、および１６０ＭＨｚ幅のチャネルをサポートすることができる。４０ＭＨｚチャネル、および８０ＭＨｚチャネルは、上述されている８０２．１１ｎと同様の連続した２０ＭＨｚチャネル同士を組み合わせることによって形成されることが可能である。１６０ＭＨｚチャネルは、８つの連続した２０ＭＨｚチャネルを組み合わせることによって、または２つの連続していない８０ＭＨｚチャネルを組み合わせることによって形成されることが可能である。これは、８０＋８０構成と呼ばれる場合がある。８０＋８０構成に関しては、データは、チャネルエンコードされることが可能であり、（たとえば、チャネルエンコードした後に）セグメントパーサに通されることが可能である。セグメントパーサは、データをストリーム（たとえば、２つのストリーム）へと分割することができる。ＩＦＦＴおよび／または時間ドメイン処理が、ストリーム上で（たとえば、それぞれのストリーム上で別々に）行われることが可能である。ストリームは、チャネルに（たとえば、それぞれのストリームがチャネルに、たとえば、２つのストリームが２つのチャネルに）マップされることが可能である。データは、送信されることが可能である。受信機においては、このメカニズムが逆にされることが可能であり、組み合わされたデータは、ＭＡＣへ送信されることが可能である。
【００４７】
オペレーションのサブ１ＧＨｚモードが、８０２．１１ａｆおよび８０２．１１ａｈによってサポートされている。これらの仕様に関しては、チャネル動作帯域幅、およびキャリアは、８０２．１１ｎおよび８０２．１１ａｃにおいて使用されるものに比べて低減される。８０２．１１ａｆは、ＴＶホワイトスペース（ＴＶＷＳ）スペクトルにおける５ＭＨｚ、１０ＭＨｚ、および２０ＭＨｚの帯域幅をサポートし、８０２．１１ａｈは、非ＴＶＷＳスペクトルを使用する１ＭＨｚ、２ＭＨｚ、４ＭＨｚ、８ＭＨｚ、および１６ＭＨｚの帯域幅をサポートする。８０２．１１ａｈに関するあり得る使用事例は、マクロカバレッジエリアにおけるメータタイプ制御（ＭＴＣ）デバイスに関するサポートである。ＭＴＣデバイスは、限られた帯域幅に関するサポートを含む限られた能力を有する場合がある。ＭＴＣデバイスは、長いバッテリ寿命に対する必要性を含む場合がある。
【００４８】
複数のチャネル、およびチャネル幅、たとえば、８０２．１１ｎ、８０２．１１ａｃ、８０２．１１ａｆ、および８０２．１１ａｈをサポートするＷＬＡＮシステムは、プライマリチャネルとして指定されているチャネルを含む。プライマリチャネルは、ＢＳＳ内のＳＴＡ（たとえば、すべてのＳＴＡ）によってサポートされている最大の共通動作帯域幅に等しいまたはほぼ等しい帯域幅を有することができる。プライマリチャネルの帯域幅は、（たとえば、ＢＳＳ内で動作しているすべてのＳＴＡのうちの）ＳＴＡによって制限される場合があり、最小の帯域幅動作モードをサポートしているＳＴＡによって制限される場合がある。８０２．１１ａｈの例においては、（たとえば、たとえＡＰ／ＰＣＰ、およびＢＳＳ内のその他のＳＴＡが、２ＭＨｚ、４ＭＨｚ、８ＭＨｚ、１６ＭＨｚ、またはその他のチャネル帯域幅動作モードをサポートすることができるとしても）１ＭＨｚモードをサポートする（たとえば、サポートするだけである）ＳＴＡ（たとえば、ＭＴＣタイプデバイス）がある場合には、プライマリチャネルは１ＭＨｚ幅であることが可能である。搬送波感知およびＮＡＶ設定は、プライマリチャネルのステータスに依存する場合がある（たとえば、プライマリチャネルが、たとえば１ＭＨｚの動作モードしかサポートしていないＳＴＡがＡＰ／ＰＣＰへの送信を行っていることに起因して、ビジーである場合には、利用可能な周波数帯域（たとえば、利用可能な周波数帯域全体）は、たとえそれらの周波数帯域（たとえば、周波数帯域の大部分）がアイドルであって利用可能であるとしても、ビジーとみなされる。）
【００４９】
米国においては、８０２．１１ａｈによって使用されることが可能である利用可能な周波数帯域は、９０２ＭＨｚから９２８ＭＨｚまでである。韓国においては、使用されることが可能である利用可能な周波数帯域は、９１７．５ＭＨｚから９２３．５ＭＨｚまでであり、日本においては、使用されることが可能である利用可能な周波数帯域は、９１６．５ＭＨｚから９２７．５ＭＨｚまでである。８０２．１１ａｈにとって利用可能な合計の帯域幅は、国コードに応じて６ＭＨｚから２６ＭＨｚである。
【００５０】
８０２．１１ａｃは、たとえばダウンリンクＯＦＤＭシンボル中の、同じシンボルのタイムフレームにおける複数のＳＴＡへのダウンリンクマルチユーザＭＩＭＯ（ＭＵ−ＭＩＭＯ）送信のコンセプトを有する。ダウンリンクＭＵ−ＭＩＭＯは、８０２．１１ａｈにおいて使用されることが可能である。ダウンリンクＭＵ−ＭＩＭＯは、（たとえば、８０２．１１ａｃにおいて使用される際に）、複数のＳＴＡに対して同じシンボルタイミングを使用することができる。複数のＳＴＡに対する波形送信の干渉は、問題ではないかもしれない。ＡＰ／ＰＣＰとともにＭＵ−ＭＩＭＯ送信に関与しているＳＴＡ（たとえば、すべてのＳＴＡ）は、同じチャネルまたは帯域を使用することができる（たとえば、使用しなければならない）。動作帯域幅は、ＡＰ／ＰＣＰとともにＭＵ−ＭＩＭＯ送信に含まれているＳＴＡによってサポートされている最小チャネル帯域幅であることが可能である。
【００５１】
８０２．１１ａｄは、ＷＬＡＮ標準に対する改正であり、この改正は、６０ＧＨｚ帯域におけるベリーハイスループット（ＶＨＴ）のためのＭＡＣレイヤおよびＰＨＹレイヤを指定する。８０２．１１ａｄは、７Ｇｂｉｔ／ｓまでのデータレートをサポートすることができる。８０２．１１ａｄは、３つの異なる変調モード（たとえば、シングルキャリアおよびスプレッドスペクトルを伴う制御ＰＨＹ、シングルキャリアＰＨＹ、ならびにＯＦＤＭ  ＰＨＹ）をサポートすることができる。８０２．１１ａｄは、６０ＧＨｚのアンライセンス帯域および／または世界的に利用可能である帯域を使用することができる。６０ＧＨｚにおいては、波長は５ｍｍであり、コンパクトおよびアンテナまたはアンテナアレイが６０ＧＨｚに伴って使用されることが可能である。アンテナは、狭ＲＦビームを（たとえば、送信機および受信機の両方において）作成することができる。狭ＲＦビームは、カバレッジ範囲を効果的に増大することができ、干渉を低減することができる。８０２．１１ａｄのフレーム構造は、ビームフォーミングトレーニングに関するメカニズム（たとえば、ディスカバリーおよびトラッキング）を容易にすることができる。ビームフォーミングトレーニングプロトコルは、セクタレベルスイープ（ＳＬＳ）手順およびビーム微細化プロトコル（ＢＲＰ）手順という２つのコンポーネントを含むことができる。ＳＬＳ手順は、送信ビームフォーミングトレーニングのために使用されることが可能である。ＢＲＰ手順は、受信ビームフォーミングトレーニングを可能にすることができ、送信ビームおよび／または受信ビームを（たとえば、反復して）微細化することができる。ＭＩＭＯ送信（たとえば、ＳＵ−ＭＩＭＯおよびＭＵ−ＭＩＭＯ）は、８０２．１１ａｄによってサポートされない場合がある。
【００５２】
図２は、セクタレベルスイープ（「ＳＬＳ」）トレーニングの例である。ＳＬＳトレーニングは、ビーコンフレームまたはＳＳＷフレームを使用して実行されることが可能である。ビーコンフレームが利用される場合には、ＡＰ／ＰＣＰは、それぞれのビーコンインターバル（ＢＩ）内で複数のビーム／セクタに伴ってビーコンフレームを繰り返すことができ、複数のＳＴＡが同時にＢＦトレーニングを実行することができる。ＡＰ／ＰＣＰは、（たとえば、ビーコンフレームのサイズに起因して）１つのＢＩ内ですべてのセクタ／ビームをスイープすることができない場合がある。ＳＴＡは、ＩＳＳトレーニングを完了するためにＢＩ（たとえば、複数のＢＩ）を待つ場合がある。待ち時間が問題となる場合がある。ＳＳＷフレームが、（たとえば、ポイントからポイントへのＢＦトレーニングのために）利用される場合がある。ＳＳＷフレームは、たとえば図３において示されているＳＳＷフレームフォーマットを使用して、（たとえば、制御ＰＨＹを使用して）送信されることが可能である。
【００５３】
図３は、選択セクタスイープ（ＳＳＷ）フレームに関する例示的なフォーマットである。図４は、ＳＳＷフレームにおけるＳＳＷフィールドに関する例示的なフォーマットである。図５は、ＳＳＷフレームにおけるＳＳＷフィードバックフィールドの例である。
【００５４】
図６は、ビーム微細化プロトコル（ＢＲＰ）フレームおよびトレーニング（ＴＲＮ）フィールドを搬送する例示的なＰＬＣＰプロトコルデータユニット（ＰＰＤＵ）である。ビームフォーミング微細化プロトコル（ＢＲＰ）は、ＳＴＡが（たとえば、送信および受信のための）自分のアンテナ構成（またはアンテナウェイトベクトル）を改善することができるプロセスである。ビーム微細化手順においては、ＢＲＰパケットは、受信機および／または送信機アンテナをトレーニングするために使用されることが可能である。ＢＲＰ−ＲＸパケット（たとえば、ビームフォーミング微細化プロトコル受信機）およびＢＲＰ−ＴＸ（たとえば、ビームフォーミング微細化プロトコル送信機）パケットという２つのタイプのＢＲＰパケットがある。ＢＲＰパケットは、ＤＭＧ  ＰＰＤＵによって搬送されることが可能であり、トレーニングフィールドによって追随されることが可能である。トレーニングフィールドは、ＡＧＣフィールドを含むことができ、たとえば図６において示されているように、送信機または受信機トレーニングフィールドを含むことができる。
【００５５】
図６におけるＮという値は、トレーニング長さ（たとえば、ヘッダフィールドにおいて与えられているトレーニング長さ）であることが可能である。トレーニング長さは、ＡＧＣが４Ｎ個のサブフィールドを有しているということを示すことができ、ＴＲＮ−Ｒ／Ｔフィールドが５Ｎ個のサブフィールドを有しているということを示すことができる。ＣＥサブフィールドは、プリアンブルにおけるＣＥサブフィールドと同じまたは同様であることが可能である。ビームトレーニングフィールド内のサブフィールド（たとえば、すべてのサブフィールド）は、回転されたπ／２−ＢＰＳＫ変調を使用して送信される。ＢＲＰ  ＭＡＣフレームは、動作無応答フレームであり、カテゴリー、保護されていないＤＭＧアクション、ダイアログトークン、ＢＲＰ要求フィールド、ＤＭＧビーム微細化要素、チャネル測定フィードバック要素１からチャネル測定フィードバック要素ｋというフィールドのうちの１つまたは複数を有することができる。
【００５６】
ＩＥＥＥ８０２．１１ａｙ物理レイヤ（ＰＨＹ）およびＩＥＥＥ８０２．１１ａｙメディアアクセス制御レイヤ（ＭＡＣ）は、（ＭＡＣデータサービスアクセスポイントにおいて測定された）少なくとも２０ギガビット毎秒の最大スループットをサポートすることができるオペレーションの少なくとも１つのモードを有することができ、（たとえば、ステーションあたりの）パワー効率を保持または改善することができる。ＩＥＥＥ８０２．１１ａｙ物理レイヤ（ＰＨＹ）およびＩＥＥＥ８０２．１１ａｙメディアアクセス制御レイヤ（ＭＡＣ）は、下位互換性を有することが可能な、および／または同じ帯域において動作している指向性マルチギガビットステーション（たとえば、レガシーの、たとえば、ＩＥＥＥ８０２．１１ａｄ−２０１２改正によって定義されている）と共存することが可能な４５ＧＨｚを上回るライセンス免除帯域を有することができる。８０２．１１ａｙは、レガシー標準と同じ帯域において動作することができる。下位互換性、および／または同じ帯域におけるレガシーとの共存があり得る。
【００５７】
ビームフォーミング（ＢＦ）トレーニング手順（たとえば、８０２．１１ａｄのもとでの）は、たとえば、イニシエータおよびレスポンダの両方が自分の送信機／受信機ビームをそれぞれトレーニングする場合には、良好なパフォーマンスを達成することができる。ＢＦトレーニングは、たとえば、４つのトレーニング期間を含むことができる。（たとえば、それぞれの）トレーニング期間は、複数のビーム上でのトレーニングおよび測定を含むことができる。効率的なＢＦトレーニング手順は、ビームフォーミング微細化手順中にトレーニングを低減すること、待ち時間を低減すること、および効率を高めることが可能である。
【００５８】
ＢＦトレーニング手順は、単一のビーム／単一のストリーム送信に関して、およびマルチビーム送信を可能にするために複数のビームに関して実行されることが可能である。
【００５９】
たとえば、サブビームのビーム幅が狭すぎる場合には、繰り返されるビームトラッキングが生じることがある。たとえば、（たとえば、ステーション（ＳＴＡ）、アクセスポイント（ＡＰ）／ＰＢＳＳ制御ポイント（ＰＣＰ）、または環境の移動に起因して）チャネルが変わっている場合には、サブビームのビーム幅が狭すぎることがある。たとえば、トラッキングおよびトラッキングオーバーヘッドの量を低減するためにビームが修正されることが可能である。
【００６０】
マルチレゾリューションビーム微細化プロトコル（ＭＲ−ＢＲＰ）は、単一のビームに適用されることが可能である。ＡＰ／ＰＣＰおよびＳＴＡは、たとえば、それぞれのＢＲＰステージにおいて使用されるアンテナウェイトベクトル（ＡＷＶ）のレゾリューションを（たとえば、継続的に）変更することによって、トラッキング時間を低減する様式でビームを微細化することができる。
【００６１】
ＡＰ／ＰＣＰおよびＳＴＡは、たとえばセクタレベルスイープ（ＳＬＳ）に基づいて、（たとえば、最良の）送信および受信セクタを識別することができる。ＢＲＰ手順は、セクタ内のＡＷＶを（たとえば、網羅的に）探索して、たとえば、ＡＰ／ＰＣＰ／ＳＴＡペアのための最良の送信ＡＷＶおよび受信ＡＷＶを識別することができる。（たとえば、それぞれの）ＡＷＶは、デバイスに関する特定の照準方向に相当することが可能である。
【００６２】
ＡＰ／ＰＣＰおよびＳＴＡは、別々のレゾリューションのサブビームを用いてセクタ全体を、たとえば、所望のレゾリューションにおける狭いサブビームの正しいペアが識別されるまで、複数回にわたって（たとえば、マルチレゾリューションＢＲＰ手順で）探索することができ、これは、狭いセクタサブビームにわたって網羅的に探索を行うことに対する代替手段であり得る。
【００６３】
サブビームは、さまざまな実施態様によって作成されることが可能である。下記のうちの１つまたは複数が当てはまることが可能である。
【００６４】
サブビーム作成に関して、ＡＰ／ＰＣＰまたはＳＴＡは、複数のＡＷＶ「コードブック」によってサブビームを定義することができる。それぞれのコードブックの要素は、別々の角度広がりにわたる場合があり、それによって、それぞれのサブビームのレゾリューションを変更する。たとえば、コードブックレベル１におけるサブビームに対応するＡＷＶは、２２．５度の角度広がりを有することができ、レベル２は、５．６２５度の角度広がりを有することができ、レベル３は、１．０４６度の角度広がりを有することができる、といった具合である。この例は、図１７〜図１９において示されている例において示されている。例において提示されている角度は、例示的なものであり、限定を伴うものではない。たとえば、コードブックレベル１は、４５度の角度広がりを伴うサブビームを有することができ、その一方でコードブックレベル２は、１１．２５度の角度広がりを伴うサブビームを有することができる。たとえば、特定のレベルに関するサブビームが識別されている場合には、使用されるべきであるコードブック内のさらに低いレベルのサブビームが推測されることが可能である。
【００６５】
サブビーム作成に関して、ＡＰ／ＰＣＰまたはＳＴＡは、セクタ内のサブビームをダウンサンプリングすることができる。ＡＰ／ＰＣＰまたはＳＴＡは、最良のパフォーマンスを伴うダウンサンプリングされたサブビームを選択することができる。微細化手順のレゾリューションを変更する一方で、サブビームのレゾリューションが（たとえば、同じに）保持されることが可能である。さらなる反復は、さらなる分析のために、選択されたサブビームに「近い」サブビームを選択することができ、それは、たとえば、「コードブック」内のＡＷＶのサブセットを選択することによって実行されることが可能である。
【００６６】
図７は、アンテナダウンセレクションの例である。図８は、アンテナ要素ダウンセレクションに伴ってビーム幅が増大する２Ｄビームパターンの例である。
【００６７】
たとえば、図７および図８において示されている例に関連付けられているサブビーム作成に関して、ＡＰ／ＰＣＰまたはＳＴＡは、物理アンテナアレイ（ＰＡＡ）において励起されるアンテナ要素の数をダウンセレクトする一方で要素間間隔を一定に保つことによって、サブビームのレゾリューションを調整することができる。アンテナ応答のビーム幅は、たとえば、増大するダウンセレクションに伴って増大することが可能である。
【００６８】
図９は、アンテナ要素ダウンサンプリングの例である。図１０は、中心ローブビーム幅が一定のままである一方でアンテナ要素ダウンセレクションに伴うサイドローブに起因してアンテナ利得および指向性が低減される場合がある２Ｄビームパターンの例である。
【００６９】
たとえば、図９および図１０において示されている例に関連付けられているサブビーム作成に関して、ＡＰ／ＰＣＰまたはＳＴＡは、ＰＡＡにおいて励起されるアンテナ要素の数をダウンサンプリングする一方でアンテナの要素間間隔を調整することによって、セクタ内のサブビームをダウンサンプリングすることができる。サブビームのレゾリューションは、一定のままであることが可能であり、その一方で微細化手順のレゾリューションは変わり得る。サブビームの中心ローブのビーム幅は、一定のままであることが可能であり、その一方でアンテナ利得および指向性は、たとえば、さらなるサイドローブに起因して低減されることが可能である。
【００７０】
サブビームの作成は、さまざまなマルチレゾリューション手順を用いて達成されることが可能である。
【００７１】
マルチレゾリューションの例は、セクタレベルスイープ（ＳＬＳ）において使用されることが可能である。その後のＳＬＳは、たとえば必要に応じて、より広いまたはより狭いセクタレゾリューションを使用することができる。
【００７２】
サブビームは、たとえば、別々のサブビームレゾリューションを伴うＭＲ−ＢＲＰによって作成されることが可能である。例においては、ＡＰ／ＰＣＰが、ＡＰ／ＰＣＰのための最良送信サブビームを推定することができ、フォワードリンク送信を想定するＳＴＡのためのサブビームを受信することができるというアンテナ相互関係はないと想定されることが可能である。相互関係の存在を考慮するために修正が実施されることが可能である。レスポンダＴｘ  ＭＲ−ＢＲＰは、イニシエータの最良Ｒｘとしての役割を果たすことができる。別々のサブビームレゾリューションを伴うＭＲ−ＢＲＰは、たとえば、本明細書におけるサブビーム作成例に適している場合がある。
【００７３】
ＡＰ／ＰＣＰおよびＳＴＡは、２５６個のサブビームを有し、それぞれのセクタ送信機／受信機は、６４個のサブビームにわたると想定されることが可能である。網羅的な探索ＢＲＰは、送信機においてサブビームの正しいペアを識別するために、６４個のＴＲＮ−Ｔおよび６４個のＴＲＮ−Ｒトレーニングフィールドならびに２つのフィードバック送信を必要とする場合がある。
【００７４】
別々のレゾリューションを使用するマルチレゾリューション手順の例においては、ＰＡＡビーム幅は、たとえば、任意の１つの時点において、テストされている関心のあるセクタ全体にわたる（たとえば、わずか）４つのＴＲＮ−Ｔ／ＴＲＮ−Ｒトレーニングフィールドがあるように設定されることが可能である。これは、所望のレゾリューションを伴うサブビームの正しいペアが識別されるまで繰り返されることが可能である。例においては、送信機においてビームの正しいペアを識別するために４つのフィードバック送信とともに送信される２４個のＴＲＮ−Ｔ／ＴＲＮ−Ｒトレーニングフィールドがあり得る。トレーニングおよびフィードバックは、たとえば、待ち時間要件を満たすように調整されることが可能である。（たとえば、いずれかの）中間のレゾリューションレベルにおいては、たとえば、データが送信される必要がある場合に、（たとえば、利得上に何らかのインパクトを伴って）データの送信が生じることがある。サブビームは、アンテナウェイトベクトル（ＡＷＶ）と呼ばれる場合がある。
【００７５】
別々のサブビームレゾリューションを伴うＭＲ−ＢＲＰのための例示的な手順が提供されることが可能である。下記のうちの１つまたは複数が実行されることが可能である。
【００７６】
ＡＰ／ＰＣＰおよびＳＴＡは、自分たちがマルチレゾリューションＢＲＰに対応可能であるという表示を提供して、たとえば、ＳＴＡがネットワークにおいて適切に動作できることを確実にすることが可能である。ＡＰ／ＰＣＰおよびＳＴＡは、自分たちが使用するマルチ無線レベルについて交渉することができる。ＡＰ／ＰＣＰおよびＳＴＡは、別々のレゾリューションを使用することができる。
【００７７】
図１１は、セクタレベルスイープ（ＳＬＳ）の例である。図１６は、９０度の角度広がりを伴うセクタを識別するためのセクタレベルスイープ（ＳＬＳ）の例である。ＡＰ／ＰＣＰおよびＳＴＡは、イニシエータ送信セクタスイープ（ＴＸＳＳ）およびイニシエータ受信セクタスイープ（ＲＸＳＳ）手順を経ることができる。イニシエータＴＸＳＳにおいては、ＡＰ／ＰＣＰは、自分のセクタを送信および循環することができる（たとえば、４つのセクタ１〜４を示す図１６において示されている例を参照されたい）。ＳＴＡアンテナは、クワジオムニとして設定されることが可能である。イニシエータＲＸＳＳにおいては、ＡＰ／ＰＣＰは、クワジオムニとして送信を行うことができる。ＳＴＡは、自分の受信セクタを循環することができる。ＳＴＡは、（たとえば、最良の）セクタをＡＰ／ＰＣＰへフィードバックすることができる。
【００７８】
図１２は、レガシーＢＲＰに関して使用されることが可能であるビーム微細化プロトコル（ＢＲＰ）の例である。図２０Ａおよび図２０Ｂは、Ｔｘセクタがビーム１９（セクタ１，２，２，３）であってＲｘセクタがビーム４８（セクタ３，３，４，４）である３レベルＭＲ−ＢＲＰインデックス選択を示す例示的なテーブルであるが、図２０Ａおよび図２０Ｂは、ＢＲＰに関して参照されることも可能である。ＡＰ／ＰＣＰは、送信トレーニング（ＴＲＮ−Ｔ）サブフィールドを伴う送信ＢＲＰフレームを送信することができる。例においては、ＡＰ／ＰＣＰは、６４個のＴＲＮ−ＴフィールドをＳＴＡへ送信することができる（たとえば、図１９における例を参照されたい）。ＳＴＡは、自分の受信セクタを、ＳＬＳにおいて識別された受信セクタに設定することができる（たとえば、図２０Ａおよび図２０Ｂにおいて示されている例におけるセクタ３を参照されたい）。ＳＴＡは、（たとえば、最良の）ＡＷＶをＡＰ／ＰＣＰへ（たとえば、送信ＢＲＰに基づいて）フィードバックすることができる。ＳＴＡは、受信機ビーム微細化（たとえば、図２０Ａおよび図２０Ｂにおける例におけるＴｘ  ＡＷＶ１９）を要求することができる。ＡＰ／ＰＣＰは、ＳＴＡへの６４個のＴＲＮ−Ｒフィールドを用いてＢＲＰをＳＴＡへ送信することができる。ＡＰ／ＰＣＰは、送信ＡＷＶ微細化ステップ（たとえば、Ｔｘ  ＡＷＶ１９）に基づいて送信を行うことができる。ＳＴＡは、１２８個のＴＲＮフィールドおよび２個のフィードバックフレーム（たとえば、図１２において示されている例）を有することができる所望のＡＷＶ（たとえば、図２０Ａおよび図２０Ｂにおける例において示されているＲｘ  ＡＷＶ４８）をフィードバックすることができる。
【００７９】
図１３は、ＭＲ−ＢＲＰレベル１の例である。図１７は、セクタあたり４個のアンテナウェイトベクトル（ＡＷＶ）および２２．５度の角度広がりを伴うＢＲＰレベル１の例である。ＡＰ／ＰＣＰおよびＳＴＡは、第１のレゾリューションＢＲＰを経ることができる。ＡＰ／ＰＣＰは、（たとえば、図１７における例において示されている２２．５度のビーム幅を伴うサブビームに対応する）４つのＴＲＮ−Ｔフレームを伴うＢＲＰフレームを送信することができる。ＳＴＡは、自分の受信セクタを、ＳＬＳにおいて識別されたセクタ（たとえば、セクタ３）に設定することができる。ＳＴＡは、レゾリューションレベル１に関する（たとえば、最良の）Ｔｘ  ＡＷＶ（たとえば、Ｔｘセクタ１，２）をフィードバックすることができる。ＳＴＡは、受信機ビーム微細化を要求することができる。ＡＰ／ＰＣＰは、Ｔｘセクタ１，２としてのＴｘセクタおよび４つのＴＲＮ−Ｒサブフィールドを伴うＢＲＰフレームを送信することができる。ＳＴＡは、（たとえば、最良の）Ｒｘセクタ（たとえば、Ｒｘセクタ３，３）をフィードバックすることができる。第２のフィードバックは、たとえば、これが最終のＭＲレベルではない場合には、任意選択であることが可能である。
【００８０】
図１４は、ＭＲ−ＢＲＰレベル２の例である。図１８は、角度広がり５．６２５度でＢＲＰレベル１におけるＡＷＶあたり４個のＡＷＶ、たとえば、セクタあたり１６個のＡＷＶを伴うＢＲＰレベル２の例である。ＡＰ／ＰＣＰおよびＳＴＡは、第２のＢＲＰレゾリューションを経ることができる。ＡＰ／ＰＣＰは、（たとえば、図１８における例において示されている５．６２５度のビーム幅を伴うサブビームに対応する）４つのＴＲＮ−Ｔフレームを伴うＢＲＰフレームを送信することができる。ＳＴＡは、自分の受信セクタを、第１のレベルＢＲＰにおいて識別されたセクタ（たとえば、セクタ３，３）に設定することができる。ＳＴＡは、レゾリューションレベル２に関する（たとえば、最良の）Ｔｘ  ＡＷＶ（たとえば、Ｔｘセクタ１，２，１）をフィードバックすることができる。ＳＴＡは、受信機ビーム微細化を要求することができる。ＡＰ／ＰＣＰは、Ｔｘセクタ１，２，１としてのＴｘセクタおよび４つのＴＲＮ−Ｒサブフィールドを伴うＢＲＰフレームを送信することができる。ＳＴＡは、（たとえば、最良の）Ｒｘセクタ（たとえば、Ｒｘセクタ３，３，４）をフィードバックすることができる。第２のフィードバックは、たとえば、これが最終のＭＲレベルではない場合には、任意選択であることが可能である。
【００８１】
図１５は、ＭＲ−ＢＲＰレベル３の例である。図１９は、角度広がり１．０４６度でレベル２におけるＡＷＶあたり４個のＡＷＶ、たとえば、セクタあたり６４個のＡＷＶを伴うＢＲＰレベル３の例である。ＡＰ／ＰＣＰおよびＳＴＡは、第３のＢＲＰレゾリューションを経ることができる。ＡＰ／ＰＣＰは、（たとえば、図１９における例において示されている１．０６度のビーム幅を伴うサブビームに対応する）４つのＴＲＮ−Ｔフレームを伴うＢＲＰフレームを送信することができ、ＳＴＡは、自分の受信セクタを、第１のレベルＢＲＰにおいて識別されたセクタ（セクタ３，３，４）に設定する。ＳＴＡは、レゾリューションレベル２に関する（たとえば、最良の）Ｔｘ  ＡＷＳ（たとえば、Ｔｘセクタ１，２，１，３＝ＡＷＶ１９）をフィードバックすることができる。ＳＴＡは、受信機ビーム微細化を要求することができる。ＡＰ／ＰＣＰは、Ｔｘセクタ１，２，１，３としてのＴｘセクタおよび４つのＴＲＮ−Ｒサブフィールドを伴うＢＲＰフレームを送信することができる。ＳＴＡは、（たとえば、最良の）Ｒｘセクタ（たとえば、Ｒｘセクタ３，３，４，４＝ＡＷＶ４８）をフィードバックすることができる。
【００８２】
ＭＲ−ＢＲＰの前述の例と、ＢＲＰの前述の例とを比較すると、ＭＲ−ＢＲＰの例は、（たとえば、最良の）Ｔｘ−Ｒｘ  ＡＷＶを識別するために２４個のＴＲＮ−Ｒ／Ｔサブフィールドを使用し、その一方でＢＲＰの例は、同じレゾリューションに達するために６４個までのＴＲＮ−Ｒ／Ｔサブフィールドを使用することができるということが気づかれることが可能である。
【００８３】
トレーニング手順は、たとえば、複数のＳＴＡがあり得るシナリオにおいて、たとえば、ＳＴＡによってフィードバックされたＴＲＮ−Ｔフィールドの集合からＴＲＮ−Ｔサブフィールドを作成することによってスピードアップされることが可能である。
【００８４】
ＭＲ−ＢＲＰにおけるレゾリューションレベルの数は、たとえば、ＡＰ／ＰＣＰ／ＳＴＡペアによって、たとえば、能力のやり取り中に、または交渉フレームのやり取り中になど、送信の前に、事前に交渉されることが可能である。ＡＰ／ＰＣＰまたはＳＴＡは、メトリック（たとえば、ＳＮＲまたはキャパシティにおける変更）に基づいて、たとえば、ＢＲＰ要求を送信しないことによって、自分たち自身の（または両方の）さらなるレゾリューションを（たとえば、代替として）終了することができる。
【００８５】
サブビームは、たとえば、ダウンセレクションを伴うＭＲ−ＢＲＰによって作成されることが可能である。例においては、ＡＰ／ＰＣＰまたはＳＴＡは、セクタ内のサブビームをダウンサンプリングすることができる。ＡＰ／ＰＣＰまたはＳＴＡは、最良のパフォーマンスを伴うダウンサンプリングされたサブビームを選択することができる。さらなる反復は、さらなる分析のために、選択されたサブビームに「近い」サブビームを選択することができる。ダウンセレクションを伴うＭＲ−ＢＲＰは、たとえば、本明細書におけるサブビーム作成例に適している場合がある。ダウンセレクションを伴うマルチレゾリューションＢＲＰは、下記のうちの１つまたは複数を含むことができる。
【００８６】
図２１は、最も明るいグレーのサブビーム（ＡＷＶ）によって最良の方向が示されている、４というダウンセレクション係数を伴うＡＷＶダウンセレクションレベル１の例である。例においては、ＳＬＳは、たとえば、図２１における例において示されているように理想的な送信セクタおよび受信セクタを識別していると想定されることが可能である。簡単にするために、送信セクタは、図２１において示されている。ＡＰ／ＰＣＰは、自分のサブビームダウンセレクション係数を４に設定することができ、４つのＴＲＮ−Ｔサブフィールドを伴うＢＲＰを受信機へ送信することができる。ＳＴＡは、（図２１において最も明るいグレーとして示されている）（たとえば、最良の）ビームをフィードバックすることができる。ＳＴＡは、受信機ビーム微細化を要求することができる。
【００８７】
図２２は、レベル１において選択されたレベルに「最も近い」ＡＷＶをＳＴＡが送信し、かつ最も明るいグレーのＡＷＶが最良の方向であるＡＷＶダウンセレクションレベル２の例である。ＡＰ／ＰＣＰは、たとえば、ダウンセレクションにおける最良サブビームを識別するために、４というサブビームダウンセレクション係数を伴うＢＲＰを送信することができる。最良のダウンセレクトされたサブビームが識別されることが可能である。ＡＰ／ＰＣＰおよびＳＴＡは、たとえば、図２２において示されているように、識別されたサブビームに「最も近い」サブビーム要素を伴う新たなＢＲＰを実行する。
【００８８】
図２３は、４というダウンセレクション係数を伴うＡＷＶダウンセレクションレベル１、反復２の例である。（たとえば、オリジナルまたは第１のレベルＢＲＰ）ダウンセレクションは、満足できる識別されたサブビームをもたらす結果にならない場合があり、これは、たとえば、ビームが狭すぎる場合に生じることがある。ＢＲＰは、ビームの異なるサブセット（またはダウンセレクション）を伴って繰り返されることが可能である。たとえば、レベル１は、反復１が、満足できるＡＷＶをもたらす結果にならない場合には、ＡＷＶの異なるサンプルセットを伴って繰り返されることが可能である（たとえば、反復２）。サイドローブにおける増大は、ダウンセレクションが、物理アンテナアレイ（ＰＡＡ）において励起されるアンテナ要素の数をダウンサンプリングするサブビーム作成例４に関する満足できる識別されたサブビームをもたらす結果にならない場合があることの発生の確率を低減することができる。
【００８９】
図２４は、新たなレベル１において選択されたレベルに「最も近い」ＡＷＶをＳＴＡが送信し、かつ最も明るいグレーのサブビーム（ＡＷＶ）が最良の方向であるＡＷＶダウンセレクションレベル２の例である。新たな最良ビームの識別時に、「最も近い」サブビームを用いてさらなる微細化が行われることが可能である。
【００９０】
ＭＲ−ＢＲＰは、複数のビームに関して使用されることが可能である。ＭＲ−ＢＲＰは、複数のビームがある場合に更新されることが可能である。Ｎ個のビームがあることが可能であり、それぞれのレゾリューションレベル内にＭ個のサブビーム（ＡＷＶ）があることが可能である。２つの例示的な実施態様が提供される。複数のビームに関するＭＲ−ＢＲＰの例は、たとえば、本明細書におけるサブビーム作成例に適している場合がある。
【００９１】
例においては、複数のビームに関して、順次のＭＲ−ＢＲＰが適用されることが可能である。ＭＲ−ＢＲＰが実行されることが可能であり、第１のビームが識別されることが可能である。これは、Ｎ個のビームが識別されるまで繰り返されることが可能である。反復１〜Ｎ−１から識別されたそれぞれのレゾリューションレベルｎにおけるビームが、トレーニング中にＢＲＰ  ＴＲＮ−Ｔ／Ｒサブフィールドから除去されて、たとえば、ビームが独立していることを確実にすることが可能である。
【００９２】
複数のビームに関して、並列のＭＲ−ＢＲＰが適用されることが可能である。下記のうちの１つまたは複数が実行されることが可能である。
【００９３】
例においては、送信機（Ｔｘ）および受信機（Ｒｘ）に関してそれぞれのレゾリューションレベルにおいてＮ*Ｍ個のビームが識別されることが可能である。それぞれのレベルにおいて、Ｎ*Ｍ個のＡＷＶビームが評価されることが可能であり、
Ｎ個のビームが選択されることが可能である。送信トレーニング（ＴＲＮ−Ｔ）に関する並列のＭＲ−ＢＲＰの例においては、Ｎ＝２およびＭ＝２である。その他の例においては、ＮおよびＭは、別々の値を有することができる。
【００９４】
図２５は、２つのセクタを選択するＳＬＳの例である。ＳＬＳ中に、たとえば図２５において示されているように、Ｎ個の（たとえば、２個の）セクタが評価のために選択されることが可能である。
【００９５】
図２６は、４つのビームを評価して２つのビームを選択するＭＲ−ＢＲＰレベル１の例である。図２７は、４つのビームを測定して２つのビームを選択するＭＲ−ＢＲＰレベル２の例である。図２８は、４つのビームを測定して２つのビームを選択するＭＲ−ＢＲＰレベル３の例である。例においては、それぞれのレベルに関して、それぞれのセクタ内で、送信機（Ｔｘ）および受信機（Ｒｘ）は、Ｍ個のサブビームを評価することができ、これは、Ｎ*Ｍ個の（たとえば、４つの）サブビームが評価されてＮ個のサブビームが選択されるという結果をもたらすことが可能である。選択されたビームは、図２６〜図２８においてライトグレーで示されている。
【００９６】
ＭＲ−ＢＲＰは、ビームトラッキングのために使用されることが可能である。それぞれのデバイスは、それぞれのレゾリューションに関して最良ビームを保存するように依頼されることが可能である。ＰＣＰ／ＡＰまたはＳＴＡは、たとえば繰り返されるビームトラッキングに関して、特定のさらに高いレゾリューションへ戻る要求を開始することができる。ＭＲ−ＢＲＰを使用するビームトラッキングの例が提供されることが可能である。下記のうちの１つまたは複数が当てはまることが可能である。
【００９７】
ＭＲ−ＢＲＰを使用するビームトラッキングに関して、ＰＣＰ／ＡＰおよびＳＴＡは、たとえば、３つのレベルのＭＲ−ＢＲＰを経ることができる。それぞれのレベルにおいて、ＰＣＰ／ＡＰおよびＳＴＡは、最良サブビームのインデックスを格納することができる。ＰＣＰ／ＡＰおよびＳＴＡは、ビームトラッキングしきい値について交渉することができる。例においては、ビームトラッキングしきい値は、ｙ秒間におけるｘ個のビームトラッキング要求に基づくことが可能である。ＭＲフォールバックイニシエータは、ＭＲフォールバック要求をＭＲフォールバックレスポンダへ送信することができる。フォールバックは、特定のレベルまたは特定の数のレベルへ行われること（たとえば、１レベルのフォールバック）が可能である。フォールバックは、たとえば、イニシエータおよびレスポンダの両方によって要求されることが可能であり、またはそれらが順番に要求する（たとえば、はじめにレスポンダが要求し、次いでイニシエータが要求する）という（たとえば、２つのステップの）プロセスであることが可能である。段階的なプロセスは、たとえば、イニシエータおよびレスポンダの両方がフォールバックする必要があるかどうかを特定するために生じることが可能である。フォールバックは、たとえば、より狭いビームを伴うデバイスがフォールバックすることを要求する場合がある。レスポンダは、たとえばレスポンダがフォールバックすることを要求された場合には、フォールバックを実施し、ＡＣＫをイニシエータへ送信することができる。レスポンダは、たとえばイニシエータがフォールバックすることを要求された場合には、ＡＣＫを送信し、そして次の送信のためにフォールバックすることができる。
【００９８】
ＭＲ−ＢＲＰの能力がシグナリングされることが可能である。ＡＰ／ＰＣＰおよびＳＴＡは、自分たちがＭＲ−ＢＲＰに対応可能であるという表示を（たとえば、能力要求または広告を送信することによって）提供して、たとえば、ＳＴＡがネットワークにおいて適切に動作できることを確実にすることが可能である。表示は、たとえば、能力情報要素の修正によって提供されることが可能である。
【００９９】
指向性マルチギガビット（ＤＭＧ）能力要素が、たとえば、ＭＲ−ＢＲＰを実行する能力を示すために使用されることが可能である。ＤＭＧ能力要素は、デバイスの能力を基本サービスセット（ＢＳＳ）に広告するためにＡＰ／ＰＣＰまたはＳＴＡによって送り出されることが可能であり、たとえば、関連付け要求、関連付け応答、再関連付け要求、再関連付け応答、プローブ要求、プローブ応答、または情報要求／応答フレーム内に含めて送信されることが可能である。ＭＲ−ＢＲＰの能力は、ＤＭＧビーコン内に存在することも可能である。この要素は、ＤＭＧ  ＳＴＡ能力情報フィールドおよびＤＭＧ  ＰＣＰ／ＡＰ能力情報フィールドを含むことができる。これらのフィールドは、ＡＰ／ＰＣＰまたはＳＴＡがＭＲ−ＢＲＰをサポートしているかどうかを示すことができるサブフィールドを含むことができる。たとえば、レゾリューションの最大数を示すためのパラメータがこの要素内に置かれることが可能である。
【０１００】
ＭＲ−ＢＲＰに関してＢＲＰフレームフォーマットが指定されることが可能である。テーブル１は、ＢＲＰ要求フィールドおよびＤＭＧビーム微細化フィールドなど、ＭＲ−ＢＲＰに関するフィールドを伴う例示的なＢＲＰフレームフォーマットを示している。
【０１０１】
【表１】
2019512939.tif 000003
【０１０２】
ＢＲＰフレームフォーマットは、たとえば、図６において示されているＰＬＣＰプロトコルデータユニット（ＰＰＤＵ）フレーム内に含めて送信されることが可能である。
【０１０３】
たとえばレゾリューションレベルを識別するために、ＢＲＰ要求フィールドが更新されることが可能である。たとえば、別々のマルチレゾリューションＢＲＰ手順がサポートまたは使用される場合には、たとえば、どの１つまたは複数のタイプのＭＲ−ＢＲＰ手順がサポートまたは使用されているかを示すためのフィールドが提供されることが可能である。
【０１０４】
たとえば、別々のサブビームレゾリューションを伴うＭＲ−ＢＲＰに関するサブフィールドが提供されることが可能である。例においては、次のサブフィールド、すなわち、（ｉ）デバイスによって使用されることが可能であるレゾリューションレベルの最大数を示すことができる最大レゾリューションレベル、および／または（ｉｉ）現在のＢＲＰ送信によって使用されているレゾリューションレベルを示すことができる現在のレゾリューションレベルが付加されることが可能である。
【０１０５】
たとえば、ダウンセレクションを伴うＭＲ−ＢＲＰに関するサブフィールドが提供されることが可能である。例においては、次のサブフィールド、すなわち、（ｉ）サブセットの合計数、および／または（ｉｉ）サブセットインデックスが付加されることが可能である。
【０１０６】
ＴＲＮ−Ｔに関して、たとえば、それが受信機にとってトランスペアレントであるという理由で、シグナリングが必要とされない場合がある。
【０１０７】
たとえば、ＭＲフォールバックに関してサブフィールドが提供されることが可能である。例においては、次のサブフィールド、すなわち、（ｉ）ＢＲＰフォールバック要求および／または（ｉｉ）ＢＲＰフォールバックレゾリューションレベルが付加されることが可能である。
【０１０８】
ＤＭＧビーム微細化要素のＢＳ−ＦＢＣＫサブフィールドは、たとえば、マルチレゾリューションに基づいてさらなる改善が可能ではないということを示すフィールドを含むことができる。この表示は、たとえば、最大レゾリューションが達せられた場合に、またはさらなるビームレゾリューションに伴って、実施態様に依存するメトリックにおける変化がない場合に提供されることが可能である。この表示は、送信機／受信機による不必要なビーム微細化を防止することができる。
【０１０９】
レゾリューションレベルは、チャネルの変動性に基づいて選ばれることが（たとえば、追加として）可能である。狭いビームは、（たとえば、かなりの変動を伴うチャネルに関して）繰り返されるビームトラッキングに対する必要性をもたらす結果となる場合がある。より低いレゾリューションを伴うビームを要求することは、繰り返されるビームトラッキングに対する必要性を低減する場合がある。
【０１１０】
レゾリューションレベルが使用されることが可能である。レゾリューションレベルは、静的にまたは動的に割り振られることが可能である。
【０１１１】
静的なレゾリューションレベル割り振りが使用されることが可能である。レゾリューションレベルおよび／またはそれらの関連付けられているＡＷＶ／セクタが事前に定義されることが可能である。許可されるレゾリューションレベルの数が事前に定義されることが可能である。実施態様に固有のセクタ／ＡＷＶがレゾリューションレベルに割り振られることが可能である。
【０１１２】
動的なレゾリューションレベル割り振りが使用されることが可能である。たとえば、レゾリューションレベルは、グループとして（たとえば、ＢＲＰ反復内のセクタ、たとえば、すべてのセクタを伴って）セットアップされることが可能である。セクタ同士またはＡＷＶ同士がともに動的にグループ化されて、レゾリューションを形成することが可能である。グループ化は、ＢＲＰ反復内のセクタ（たとえば、すべてのセクタ）をレゾリューションレベルとしてラベル付けすることによって行われることが可能である。これは、ＢＲＰ反復内で使用されるＡＷＶ／セクタ（たとえば、すべてのＡＷＶ／セクタ）にレゾリューションレベルを黙示的に割り振る。同じＩＤがセクタのグループに関連付けられることが可能である。
【０１１３】
動的なレゾリューションに関しては、グループへのセクタの明示的なラベル付け／割り振りが使用されることが可能である。ラベル付けは、（たとえば、特定の要求／応答メッセージのやり取りによって）セクタ／ＡＷＶのグループに関連付けられているグループＩＤを用いて（たとえば、明示的に）行われることが可能である。ＳＴＡは、レゾリューションを要求することができ、応答側のＳＴＡは、レゾリューショングループＩＤおよび／または関連付けられているセクタを伴って応答することができる。ＳＴＡは、グループＩＤを伴ってレゾリューションを要求することができ、応答側のＳＴＡは、関連付けられているセクタを伴って応答することができる。
【０１１４】
動的なレゾリューションに関しては、ＳＴＡは、ＳＬＳまたはＢＲＰフィードバック中にグループＩＤをピギーバックすることができる。（たとえば、ＤＭＧビーム微細化要素において単一のグループＩＤをＢＲＰフィードバックフレームに関連付けるために）グループＩＤが付加されることが可能である。グループＩＤは、ＦＢＣＫタイプフィールド内に、またはＦＢＣＫグループフィールドという別個のフィールドとして置かれることが可能である。グループＩＤは、チャネル測定フィードバック要素内に単一の値として付加されることが可能である。
【０１１５】
動的なレゾリューションに関しては、チャネル測定フィードバック要素内に含めてフィードバックされるグループＩＤがそれぞれのアンテナセクタに関して付加されることが可能である。たとえば、セクタＩＤ順序サブフィールドは、ＳｅｃｔｏｒＩＤ＿ｎ、Ａｎｔｅｎｎａ＿ＩＤ＿ｎ、Ｇｒｏｕｐ＿ｎとなることが可能である。
【０１１６】
ＢＲＰのビーム組合せサブフェーズにおいて使用するためのセクタのグループをイニシエータまたはレスポンダが識別するのを手助けするためのレゾリューションを（たとえば、黙示的に）定義するために、（たとえば、同時に）複数のビームペアを微細化するためのＢＲＰ手順中にビームのサブセットを定義するために、および／またはＢＲＰトランザクションのための効率的なシグナリングにおいて支援を行うために、セクタグループ化が使用されることが可能である。
【０１１７】
グループサイズ（たとえば、それぞれのグループにおけるビームの数）は、同じであること、または異なることが可能である。一例においては、２５６個のビームからなる単一のレゾリューショングループが、（４，４，４，４）というそれぞれ４つのビームからなる４つのグループ、または（４，４，１６）、（１６，４，４）、もしくは（４，１６，４）という組合せでの３つのグループへとレゾルブされることが可能である。
【０１１８】
ＢＲＰトランザクションに関するシグナリングにおいて支援を行うために、送信デバイスは、（たとえば、ＴＲＮ−Ｔを使用して）微細化トランザクションを送信することができ、使用するための送信アンテナのセットを特定しておくこと／知っていることが可能であり、スイープするためのＲｘアンテナの特定のセットを識別することを決定／希望することができる（たとえば、現在のＢＲＰが、そのアンテナを最良のアンテナに固定する）。受信デバイスは、送信アンテナのセットを要求することができる。受信微細化トランザクションにおいては、受信デバイスは、（たとえば、Ｌ−ＲＸを設定することによって）利用可能な受信アンテナの数を示すことができ、送信機が特定の送信セットを使用することを決定／希望することができる。送信デバイスは、受信デバイスが受信アンテナのセットを使用することを要求することができる。
【０１１９】
ＢＲＰは、一意のアンテナＩＤに基づいて（たとえば、サイズＳＬＳの）特定のセクタへフォールバックすることを決定することができる。マルチレゾリューション／セクタグループ化は、一意のセクタまたはセクタのグループへのフォールバックを有することができる。マルチレゾリューション／セクタグループ化は、フォールバックスイープ効率を改善することができる。
【０１２０】
ＢＲＰは、ＭＩＤフィールドを０に設定することによって停止することができる送信デバイスを有することができる。マルチレゾリューション／セクタグループ化は、ＭＩＤフィールドを０に設定することによって送信デバイスを停止させることができ、グループ化および関連付けられているシグナリングを用いて、受信デバイスは、使用する（たとえば、効率よく使用する）ためのセクタのセットへの入力を行うことができる。
【０１２１】
マルチレゾリューションセクタレベルスイープ（ＭＲ−ＳＬＳ）が使用されることが可能であり、ビームフォーミング微細化手順中にトレーニングの量を低減すること、待ち時間を低減すること、およびＢＦトレーニング効率を増大することが可能である。
【０１２２】
マルチレゾリューションセクタレベルスイープによってマルチレゾリューションビーム微細化が達成されることが可能である。マルチレゾリューションビーム微細化を使用して、マルチステージセクタレベルスイープが定義されることが可能である。
【０１２３】
マルチレゾリューションイニシエータＴＸセクタスイープ（ＴＸＳＳ）の例が、図２９において示されている。マルチレゾリューションイニシエータＴＸＳＳは、後方互換性があることが可能である。マルチレゾリューションＴＸＳＳは、下記のうちの１つまたは複数を有すること／使用することが可能である。
【０１２４】
マルチレゾリューションＴＸＳＳに関しては、イニシエータは、（たとえばイニシエータＴＸＳＳが、たとえば拡張スケジュール要素またはグラントフレームによって、ＳＰに関して示されている場合には）そのＳＰにおいて自分のイニシエータＴＸＳＳを開始することができる。拡張スケジュール要素またはグラントフレームは、（たとえば、イニシエータＴＸＳＳに関する現在のレゾリューションレベルに伴って）拡張されることが可能である。レゾリューションレベルは、クワジオムニビーム幅から導き出されることが可能である。たとえば、「０」は、クワジオムニビーム幅のレゾリューションを意味することができ、「１」は、クワジオムニビーム幅の１／２または１／４またはその他の部分を意味することができ、「２」は、レベル「１」からのビーム幅の１／４または１／８またはさらなる部分を意味することができる。イニシエータは、自分のイニシエータＴＸＳＳに関して示されているレゾリューションレベルを適合させることができる。イニシエータは、特定のＳＴＡに伴うイニシエータＴＸＳＳの現在のレゾリューションレベルのメモリを有することができる。
【０１２５】
マルチレゾリューションＴＸＳＳに関して、イニシエータは、ビーコン、ＳＳＷフレーム、および／またはＥＤＭＧ（たとえば、短い）ＳＳＷフレーム（たとえば、短い）を使用して、特定のレゾリューションレベルに関するイニシエータＴＸＳＳのそれぞれのラウンドを導くことができる。ＣＤｏｗｎフィールドは、現在のレゾリューションレベルに関するイニシエータＴＸＳＳが完了される前に送信されることが可能であるフレームの数を示すことができる。イニシエータが送信したトレーニングフレームは、現在のセクタＩＤを含むことができる。トレーニングフレームは、現在のレゾリューションレベルを含むこともできる。ＣＤＯＷＮ＝０を含む最後のトレーニングフレームは、ＳＬＳの１つもしくは複数のシーケンス（たとえば、ＳＬＳのさらなるシーケンス）またはイニシエータＴＸＳＳを示すことができる。ＴＸＳＳは、改善されたレゾリューションレベルを有することができる。
【０１２６】
レスポンダは、（たとえば、ＣＤｏｗｎ値＝０を含むトレーニングフレームをレスポンダが受信した場合には、）ＣＤＯＷＮ値＝０、自分の現在のセクタＩＤ、および／またはイニシエータに関して自分が検知した最良セクタＩＤを含むＳＳＷフレーム（たとえば、短いＳＳＷフレーム）を送信することができる。ＣＤＯＷＮ＝０を含むことができる最後のトレーニングフレームは、ＳＬＳの１つまたは複数のシーケンス（たとえば、ＳＬＳのさらなるシーケンス）、またはイニシエータＴＸＳＳ（もしくはレスポンダＲＸＳＳ）を示すことができる。ＴＸＳＳ（またはレスポンダＲＸＳＳ）は、改善されたレゾリューションレベルを有することができる。
【０１２７】
イニシエータは、（たとえば、ＣＤＯＷＮ値＝０を含むトレーニングフレームをレスポンダから受信すると、）（たとえば、短い）ＳＳＷフィードバックフレームを送信することができ、これは、レスポンダに関してイニシエータが検知しているセクタ（たとえば、最良セクタ）を含むことができる。（たとえば、短いＳＳＷ）ＳＳＷフィードバックは、ＳＬＳの１つまたは複数のシーケンス（たとえば、ＳＬＳのさらなるシーケンス）、またはイニシエータＴＸＳＳ（もしくはレスポンダＲＸＳＳ）に関する表示を含むこともできる。ＴＸＳＳ（またはレスポンダＲＸＳＳ）は、改善されたレゾリューションレベルを有することができる。ＳＳＷ（たとえば、短いＳＳＷ）フィードバックフレームは、（たとえば、下位互換性が問題ではない場合には、たとえば、イニシエータＳＴＡおよびレスポンダＳＴＡの両方がＥＤＭＧ  ＳＴＡである場合には）スキップされることが可能である。ＳＳＷ（たとえば、短いＳＳＷ）フィードバックフレームをスキップすることは、より高い効率を生み出すことができる。
【０１２８】
レスポンダは、（たとえば、（たとえば、短い）ＳＳＷフィードバックフレームを受信すると）（たとえば、短い）ＳＳ  ＡＣＫフレームを送信することができ、これは、ＳＬＳの１つもしくは複数のシーケンス（たとえば、ＳＬＳのさらなるシーケンス）、またはイニシエータＴＸＳＳ（もしくはレスポンダＲＸＳＳ）に関する表示を含むこともできる。ＴＸＳＳ（またはレスポンダＲＸＳＳ）は、改善されたレゾリューションレベルを有することができる。ＳＳ  ＡＣＫ（たとえば、短い）フレームは、（たとえば、下位互換性が問題ではない場合には、たとえば、イニシエータＳＴＡおよびレスポンダＳＴＡの両方がＥＤＭＧ  ＳＴＡである場合には）スキップされることが可能である。ＳＳ  ＡＣＫ（たとえば、短い）フレームをスキップすることは、より高い効率を生み出すことができる。
【０１２９】
イニシエータは、（たとえば、より低いレゾリューションレベルの以前のイニシエータＴＸＳＳに、たとえば直接に続くことができる）新たなＳＰにおける、または同じＳＰにおけるイニシエータＴＸＳＳのラウンド（たとえば、別のラウンド）から開始することができる。
【０１３０】
イニシエータは、（たとえば、１、２、３等などの完全な新たな数字を使用して）セクタＩＤを示すことができ、これは、マルチレゾリューションＴＸＳＳをレスポンダにとってトランスペアレントにすることができる。イニシエータによって使用されるトレーニングフレーム（（短い）ＳＳＷフレームまたはビーコンフレームなど）は、現在のレゾリューションレベルを示すシグナリング、および／または別々のセクタＩＤに関する別々のもしくは同じエンコーディングを搬送することができる。イニシエータは、レスポンダとの今後のやり取りにおいて使用されることになる真のセクタＩＤを、（たとえば、別々のセクタエンコーディングが使用されている場合には）それらをメモリ内に保存することによって記憶することができる。
【０１３１】
レスポンダは、自分がイニシエータに関して特定した最良セクタに関するフィードバックを提供し、それをイニシエータへ送信することができる。
【０１３２】
（たとえば、短い）ＳＳＷフィードバックおよび／またはＳＳ  ＡＣＫフレームのやり取りが、第２のレゾリューションレベルに関して続くことが可能である。
【０１３３】
イニシエータおよび／またはレスポンダは、（たとえば、短い）ＳＳＷフレーム、ビーコンフレーム、（たとえば、短い）ＳＳＷフィードバックフレーム、および／または（たとえば、短い）ＳＳＷフレーム、拡張スケジュール要素、グラントフレームなどのうちのいずれかを含むいずれかのフレームにおいて自分たちがさらなるイニシエータＴＸＳＳおよび／またはレスポンダＲＸＳＳを希望するかどうかを示すことができる。レゾリューション１の場合と同様に、（たとえば、下位互換性が問題ではないケースにおいては、たとえば、イニシエータおよびレスポンダの両方がＥＤＭＧ  ＳＴＡである場合には）（たとえば、短い）ＳＳＷフィードバックおよびＳＳ  ＡＣＫフレームがＳＬＳから除去されることが可能である。
【０１３４】
マルチレゾリューションＳＬＳ手順は、イニシエータＴＸＳＳおよび／またはレスポンダＲＸＳＳのＮ回のラウンド後に（たとえば、改善されたレゾリューションレベルを伴って）完了することが可能である。
【０１３５】
イニシエータＴＸＳＳ技術および／またはレスポンダＲＸＳＳ技術は、その他のシナリオへ拡張されることが可能である。
【０１３６】
マルチレゾリューションＢＲＰが使用されることが可能である。図３０において示されているマルチレゾリューションビームフォーミングトレーニングは、複数のＢＲＰフレームやり取りを使用することができ、これは、トレーニングの１回のラウンドに関して１つのフィードバックのみが使用されることが可能であるシングルレゾリューションビームフォーミングトレーニングとは異なることが可能である。ＢＲＰは、途絶に対して堅牢であること、および／または後方で扱いやすいことが可能である。
【０１３７】
マルチレゾリューションＢＲＰは、ＡＰ（ＴＸ）において使用されることが可能である。図１３において示されているそれぞれのレベルにおけるＢＲＰトランザクションのＴＲＮ−Ｔに関しては、ＴＲＮサブフィールド（たとえば、４つのＴＲＮサブフィールド）を伴うＴＲＮユニットが、ＴＸ  ＡＷＶ構成（たとえば、１つのＴＸ  ＡＷＶ構成）を割り振られることが可能である。ＴＲＮユニットは、１つのトレーニングセクタに対応することが可能である。図１３において示されているそれぞれのレベルにおけるＢＲＰトランザクションのＴＲＮ−Ｔに関しては、ＴＲＮサブフィールドが、ＴＸ  ＡＷＶ（たとえば、１つのＴＸ  ＡＷＶ）に関連付けられることが可能である。ＴＲＮユニットは、４つのトレーニングセクタをサポートすることができる。ＴＸ  ＡＷＶ（たとえば、１つのＴＸ  ＡＷＶ）に関連付けられているＴＲＮサブフィールドは、（たとえば、ＴＸ  ＡＷＶ構成（たとえば、１つのＴＸ  ＡＷＶ構成）を割り振られることが可能であるＴＲＮサブフィールド（たとえば、４つのＴＲＮサブフィールド）を伴うＴＲＮユニットと比較して、）より短いＴＲＮ−Ｔトレーニングパケットを有する場合がある。ＴＸ  ＡＷＶ（たとえば、１つのＴＸ  ＡＷＶ）に関連付けられているＴＲＮサブフィールドは、たとえば、ＴＲＮサブフィールド（たとえば、４つのＴＲＮサブフィールド）を伴うＴＲＮユニットと比較して、（たとえば、それぞれのセクタに関するさらに短いトレーニング時間、および／またはサブフィールド間における複数の信号遷移に起因して）より低い精度を有する場合がある。
【０１３８】
セクタＩＤ同士は、それぞれのレベルにおいて（たとえば、マルチレゾリューションＢＲＰを可能にするために）順序付けられることが可能であり、別々のレベルの間において一意ではないことが可能である。チャネル測定フィードバックは、（たとえば、セクタＩＤのみが必要とされる場合には）（たとえば、フィードバックパケットの長さを低減するために）ＲＸパケット内に含まれないことが可能である。順序付けられたセクタＩＤ（たとえば、最良の順序付けられたセクタＩＤ）が、たとえば図１２において示されているＤＭＧビーム微細化要素内に含めてフィードバックされる。ＴＸが（たとえば、ＴＸのみが）、セクタ情報の知識を有することができる。ＴＸは、（たとえば、フィードバックの途絶が起こった場合には）ＲＸから以前のフィードバックへ後方にトラッキングし、対応するセクタを送信のために使用することができる。
【０１３９】
ＢＲＰ  ＩＦＳに関して、８０２．１１ａｄにおいては、ＢＲＰフレームとその応答との間におけるフレーム間間隔は、少なくともＳＩＦＳであり、多くともＢＲＰＩＦＳである。ＳＩＦＳは、３μｓであることが可能であり、ＢＲＰＩＦＳは、４４μｓであることが可能である。ＢＲＰＩＦＳは、ＢＲＰ−ＴＸパケットの送信とＢＲＰ−ＲＸパケットの送信との任意の組合せの間においてＳＴＡによって使用されることが可能である。マルチレゾリューションＢＲＰは、いくつかのフレームやり取りを有するので、ＩＦＳは、ＴＸＯＰ上に影響を及ぼす場合がある。
【０１４０】
３つのレベルのマルチレゾリューションビームフォーミングトレーニングの例に関して、ＴＸＯＰは、たとえば（たとえば、比較のためにシングルレゾリューションビームフォーミングトレーニングが考慮されている）図３１において示されているように、均一なＩＦＳの関数であることが可能である。マルチレゾリューションビームフォーミングのＴＸＯＰは、（たとえば、ＩＦＳが十分に小さい場合には（たとえば、図３１））シングルレゾリューションビームフォーミングのＴＸＯＰよりも短いことが可能である。ＢＲＰＩＦＳが使用される場合には、マルチレゾリューションＢＲＰのＴＸＯＰは、より長いことが可能である。ＩＦＳは、ＢＲＰ設計において最適化されることが可能である。
【０１４１】
ＢＲＰ−ＴＸに伴って、ＢＲＰＩＦＳが、ＴＲＮ−Ｔとフィードバックとの間において使用されることが可能であり、これは、信頼できる送信を提供することができる。ＴＲＮ−Ｒは、フィードバックパケットに関しては使用されないことが可能である。フィードバックと次のＢＲＰ−ＴＸパケットとの間におけるＩＦＳは、修正されることが可能である。フィードバックと次のＢＲＰ−ＴＸパケットとの間におけるＩＦＳの関数としてのＴＸＯＰが、図３２においてプロットされており、そこでは、ＴＲＮ−Ｔとフィードバックとの間におけるＩＦＳが、ＢＲＰＩＦＳとして設定されている。
【０１４２】
図３２を参照すると、フィードバックと次のＢＲＰ−ＴＸパケットとの間におけるＩＦＳが、５*ＳＩＦＳ未満として設定されている場合には、マルチレゾリューションＢＲＰは、シングルレゾリューションＢＲＰよりも良好なＴＸＯＰを有することができる。
【０１４３】
マルチビームまたはマルチチャネルのためのマルチレゾリューションＢＲＰが使用されることが可能である。マルチビームまたはマルチチャネルのためのマルチレゾリューションＢＲＰは、独立しているまたは共有されているシグナリングを有することができる。
【０１４４】
独立しているマルチレゾリューションＢＲＰシグナリングに関しては、マルチレゾリューションＢＲＰは、時分割を伴うマルチビーム、または周波数分割を伴うマルチチャネルに関して独立して実施されることが可能である。ビームペア（たとえば、最良ビームペア）が、別々のビームまたは別々のチャネルに関して独立して探索されることが可能である。独立しているＢＲＰパケットは、別々のビームまたは別々のチャネルに関して使用されることが可能であり、これは、図１４におけるようなレガシーシグナリングを有することができる。
【０１４５】
共有されているマルチレゾリューションＢＲＰシグナリングに関しては、マルチレゾリューションＢＲＰは、共有されているシグナリングをマルチビームトレーニングのために（たとえば、同時に）使用することができる。別々のアンテナアレイ、たとえば、別々のビームの候補ビームペア（たとえば、すべての候補ビームペア）は、それぞれのレベルにおける一意の順序付けられたセクタＩＤを有する。トレーニングは、１つのＢＲＰ−ＴＸパケット内で別々のアンテナＩＤを伴う別々のアレイに関して実行されることが可能である。ＴＲＮフィールドは、別々のアレイ／ビームに関するトレーニング能力に伴って拡張されることになり、それは、図３３において示されているのと同様であることが可能である。ＲＸは、別々のアレイ／ビームに関するセクタＩＤ（たとえば、最良セクタＩＤ）を示すいくつかのＢＳ−ＦＢＣＫビットを有することができる。ｅＤＭＧビーム微細化要素は、図３４において示されているように修正されることが可能である。
【０１４６】
マルチユーザのためのマルチレゾリューションＢＲＰが使用されることが可能である。マルチレゾリューションＢＲＰは、複数のユーザのためのビームフォーミングトレーニングを可能にすることができる。独立しているまたは共有されているＢＲＰが使用されることが可能である。
【０１４７】
独立しているマルチレゾリューションＢＲＰに関しては、そのマルチレゾリューションＢＲＰは、時分割または周波数分割を伴うマルチビームを使用して別々のユーザに関して独立して実施されることが可能である。ＢＲＰシグナリングは、別々のユーザに関して独立していることが可能であり、これは、図１４におけるようなレガシー構造を有することができる。
【０１４８】
共有されているマルチレゾリューションＢＲＰに関しては、複数のユーザが、共有されているマルチレゾリューションＢＲＰをビームフォーミングトレーニングのために使用することができる。ユーザ同士は、ＳＬＳに従って同じセクタを有することができる。マルチユーザマルチレゾリューションＢＲＰは、ＴＸからのブロードキャストされた信号に基づくことが可能である。ＴＲＮフィールドは、図３５において示されているように、マルチユーザのために拡張されることが可能である。
【０１４９】
別々のユーザが、たとえば時分割を通じて個々のセクタＩＤ（たとえば、最良の個々のセクタＩＤ）をフィードバックすることができる。マルチユーザマルチレゾリューションＢＲＰが、図３６において示されている。
【０１５０】
狭ビームシステムのために送信されるトレーニングビームの数（たとえば、ビームの総数）は、（たとえば、複数の送信−受信ペアが使用されることが可能であるＭＩＭＯにおいては）低減されることが可能である。送信機−受信機ペアの間における接続は、いかなるステージにおいても（たとえば、待機すること、たとえば、長い待機を必要とすることなく）作成されることが可能である。ビームダウンセレクションが使用されることも可能であり、ビームダウンセレクションは、トレーニングオーバーヘッドを低減することができる。
【０１５１】
イニシエータまたはレスポンダは、（たとえば、特定のレゾリューションレベルでの）トレーニングを要求し、ＢＦＴ効率および／またはビーム精度を（たとえば、動的に）トレードオフすることができる。
【０１５２】
ノードは、チャネルにおける変化のケースにおいては、レゾリューションフォールバックを伴うＢＦＴを要求することができる。これは、ビームトラッキングにとって有利である場合がある。これは、ＢＲＰ手順の途絶に関して（たとえば、ＢＩ境界、割り当て境界．．．のケースにおいて任意の時点でフレキシブルに）使用されることが可能である。
【０１５３】
既存のＢＲＰ手順は、マルチレゾリューションＢＲＰにとってあまり効率的ではない（たとえば、最小ＭＡＣブロックサイズおよびフレーム間間隔に起因して効率的ではない）場合がある。これは、より小さなＩＦＳ、ビームのグループ化を可能にするためのさらなるシグナリング、および／またはＢＲＰフレーム設計（たとえば、短いＢＲＰフレーム設計）を可能にすることによって改善されることが可能である。
【０１５４】
例は８０２．１１プロトコルに向けられているが、本明細書における主題は、その他のワイヤレス通信およびシステムに適用可能である。記述されている主題のそれぞれの特徴、要素、アクション、またはその他の態様は、図において提示されているかまたは説明において提示されているかを問わず、単独で、または、知られているかもしくは知られていないかを問わず、本明細書において提示されている例にかかわらず、その他の主題となど、任意の組合せで実施されることが可能である。
【０１５５】
一例においては、３ＧＰＰ無線システムは、ＡＰが送信／受信ポイント（ＴＲＰ）である場合、ＳＴＡがユーザ機器（ＵＥもしくはＷＴＲＵ）である場合、セクタもしくはＡＷＶがＴＲＰビームになる場合、および／またはシグナリングがＰＨＹレイヤ制御シグナリングもしくはレイヤ２シグナリングのいずれかによって送信されることが可能である場合などに、本明細書において提案されている方法を使用することができる。
【０１５６】
たとえば、ミリメートル波（ｍｍＷ）ＷＬＡＮシステムにおけるマルチレゾリューショントレーニングのためのシステム、方法、および手段が開示されている。マルチレゾリューションビーム微細化プロトコル（ＭＲ−ＢＲＰ）においては、アクセスポイント（ＡＰ）／ＰＢＳＳ制御ポイント（ＰＣＰ）およびステーション（ＳＴＡ）が、たとえば、サブビームレゾリューションを変更することによって、またはサブビームレゾリューションを保持する一方でビームフォーミングトレーニングのレゾリューションをトレーニングのレベル間もしくはステージ間において変更することによって、マルチレゾリューションビームフォーミングトレーニングを実行することができる。サブビームレゾリューションは、たとえば、別々の角度広がりを割り振ることによって、またはアンテナ要素の数をダウンセレクトする一方でトレーニングのレベル間において要素間間隔を一定に保つことによって変更されることが可能である。ビームフォーミングトレーニングのレゾリューションは、たとえば、サブビームをダウンサンプリングすることによって、またはアンテナ要素をダウンサンプリングする一方で要素間間隔を調整することによって変更されることが可能である。ビームフォーミングトレーニング（たとえば、微細化）レベルは、アンテナウェイトベクトル（ＡＷＶ）のレゾリューションを変更することによって、ビームを微細化することができる。ＡＰ／ＰＣＰおよびＳＴＡは、別々のレゾリューションのサブビームを用いてセクタ全体を複数回にわたって探索して、所望のレゾリューションにおけるサブビームの正しいペアを識別することができる。単一のまたは複数のビームに関してＭＲ−ＢＲＰが使用されて、たとえば、順次または並行してＮ個のビームに関してＭ個のサブビーム（ＡＷＶ）を生成することが可能である。ＭＲ−ＢＲＰは、ビームトラッキングのために使用されることが可能である。デバイスは、ＭＲ−ＢＲＰのそれぞれのレベルにおける最良サブビームを保存することができ、以前のレベルにおけるサブビームへ戻る（フォールバックする）ことができる。ＭＲ−ＢＲＰシグナリングは、ＭＲ−ＢＲＰの能力、タイプ、フレームフォーマットなどを示すことができる。
【０１５７】
本明細書において記述されているコンピューティングシステムのそれぞれは、実行可能な命令を伴って構成されているメモリを有している１つまたは複数のコンピュータプロセッサ、または、本明細書において記述されているパラメータを特定すること、ならびに記述されている機能を達成するためにエンティティ同士（たとえば、ＷＴＲＵおよびアクセスポイントまたはネットワーク）の間においてメッセージを送信および受信することを含む本明細書において記述されている機能を達成するためのハードウェアを有することができる。上述されているプロセスは、コンピュータおよび／またはプロセッサによって実行するためにコンピュータ可読メディアに組み込まれているコンピュータプログラム、ソフトウェア、および／またはファームウェアにおいて実施されることが可能である。コンピューティングシステムのそれぞれは、記述されているアルゴリズム機能のそれぞれを特定および決定する目的でコンピュータおよび／またはプロセッサによって実行するためにコンピュータ可読メディアに組み込まれているコンピュータプログラム、ソフトウェア、および／またはファームウェアを有し、アルゴリズムは、特定すること、特定されたパラメータをメモリに保存すること、使用される場合にはパラメータをメモリから取り出すこと、情報を送信および受信することを含むということが理解される。
【０１５８】
上では特徴および要素が特定の組合せまたは順序で記述されている場合があるが、それぞれの特徴または要素は、単独で、またはその他の特徴および要素との任意の組合せで使用されることが可能であるということを当技術分野における標準的な技術者なら理解するであろう。加えて、本明細書において記述されている方法は、コンピュータまたはプロセッサによって実行するためにコンピュータ可読メディア内に組み込まれているコンピュータプログラム、ソフトウェア、またはファームウェアで実施されることが可能である。コンピュータ可読メディアの例は、（有線接続またはワイヤレス接続を介して送信される）電子信号、およびコンピュータ可読ストレージメディアを含む。コンピュータ可読ストレージメディアの例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気メディア、光磁気メディア、ならびにＣＤ−ＲＯＭディスクおよびデジタル多用途ディスク（ＤＶＤ）などの光メディアを含むが、それらには限定されない。ＷＴＲＵ、ＵＥ、端末、基地局、ＲＮＣ、または任意のホストコンピュータにおいて使用するための無線周波数トランシーバを実施するために、ソフトウェアに関連付けられているプロセッサが使用されることが可能である。
【図１Ａ】
2019512939.tif 000004
【図１Ｂ】
2019512939.tif 000005
【図１Ｃ】
2019512939.tif 000006
【図２】
2019512939.tif 000007
【図３】
2019512939.tif 000008
【図４】
2019512939.tif 000009
【図５】
2019512939.tif 000010
【図６】
2019512939.tif 000011
【図７】
2019512939.tif 000012
【図８】
2019512939.tif 000013
【図９】
2019512939.tif 000014
【図１０】
2019512939.tif 000015
【図１１】
2019512939.tif 000016
【図１２】
2019512939.tif 000017
【図１３】
2019512939.tif 000018
【図１４】
2019512939.tif 000019
【図１５】
2019512939.tif 000020
【図１６】
2019512939.tif 000021
【図１７】
2019512939.tif 000022
【図１８】
2019512939.tif 000023
【図１９】
2019512939.tif 000024
【図２０Ａ】
2019512939.tif 000025
【図２０Ｂ】
2019512939.tif 000026
【図２１】
2019512939.tif 000027
【図２２】
2019512939.tif 000028
【図２３】
2019512939.tif 000029
【図２４】
2019512939.tif 000030
【図２５】
2019512939.tif 000031
【図２６】
2019512939.tif 000032
【図２７】
2019512939.tif 000033
【図２８】
2019512939.tif 000034
【図２９】
2019512939.tif 000035
【図３０】
2019512939.tif 000036
【図３１】
2019512939.tif 000037
【図３２】
2019512939.tif 000038
【図３３】
2019512939.tif 000039
【図３４】
2019512939.tif 000040
【図３５】
2019512939.tif 000041
【図３６】
2019512939.tif 000042
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク（ＷＬＡＮ）において通信するワイヤレスアクセスポイントと複数のワイヤレスステーションとの間において送信される複数のビームのためのマルチレゾリューションビーム微細化の方法であって、
ビーム微細化プロトコル（ＢＲＰ）要求フィールドを含むビーム微細化プロトコルフレームを送信する前記ワイヤレスアクセスポイントを含む前記ＷＬＡＮを使用して、前記ワイヤレスアクセスポイントと前記複数のワイヤレスステーションのうちの少なくとも１つとの間における、ワイヤレスアクセスポイントイニシエータ送信機セクタスイープおよび受信機セクタスイープを前記ワイヤレスアクセスポイントにおいて実行するステップと、
アクセスポイント送信機と複数のワイヤレスステーション受信機のうちの少なくとも１つとの間における第１の数の反復を有する第１のレゾリューションのためのビームセクタを特定するステップと、
前記第１のレゾリューションのための前記特定されたビームセクタ内のビームを、前記第１のレゾリューションのための前記特定されたビームセクタ内のそれぞれのビームに関するアンテナウェイトベクトル（ＡＷＶ）に基づいて特定するステップと、
前記第１のレゾリューションのためのそれぞれの特定されたセクタに関して第１のレゾリューション最良ビームを特定するステップと、
前記アクセスポイント送信機と、前記複数のワイヤレスステーション受信機のうちの少なくとも１つとの間における第２の数の反復を有する第２のレゾリューションのためのビームセクタを特定するステップと、
前記第２のレゾリューションのための前記特定されたビームセクタ内のビームを、前記第２のレゾリューションのための前記特定されたビームセクタ内のそれぞれのビームに関するＡＷＶに基づいて特定するステップと、
前記第２のレゾリューションのためのそれぞれの特定されたセクタに関して第２のレゾリューション最良ビームを特定するステップと、
前記第１のレゾリューション最良ビームを前記第２のレゾリューション最良ビームと比較することによって最良ビームを特定するステップとを含む方法。
【請求項２】
送信微細化トランザクション（ＴＲＮ−Ｔ）サブフィールドを伴う送信ビーム微細化プロトコルフレームを前記ワイヤレスアクセスポイントから前記複数のワイヤレスステーションのうちの前記少なくとも１つへ送信するステップをさらに含む請求項１に記載の方法。
【請求項３】
前記ワイヤレスアクセスポイントにおいて前記複数のワイヤレスステーションのうちの前記少なくとも１つから最良アンテナウェイトベクトル（ＡＷＶ）を受信するステップをさらに含む請求項２に記載の方法。
【請求項４】
前記送信機セクタスイープおよび受信機セクタスイープから特定された最良セクタを前記ワイヤレスアクセスポイントにおいて前記複数のワイヤレスステーションのうちの前記少なくとも１つから受信するステップを含む請求項３に記載の方法。
【請求項５】
それぞれのビームセクタに関する前記ＡＷＶは事前に定義されている請求項１に記載の方法。
【請求項６】
前記第１のレゾリューションおよび前記第２のレゾリューションは、前記アクセスポイントと前記複数のワイヤレスステーションのうちの前記少なくとも１つとの間における時分割多重化通信および周波数分割多重化通信のために実行される請求項１に記載の方法。
【請求項７】
ワイヤレスアクセスポイントと、ワイヤレスローカルエリアネットワーク（ＷＬＡＮ）において通信する複数のワイヤレスステーションとの間において送信される複数のビームのためのマルチレゾリューションビーム微細化を使用して複数のワイヤレスステーションと通信するためのワイヤレスアクセスポイントであって、
ビーム微細化プロトコル（ＢＲＰ）要求フィールドを含むビーム微細化プロトコルフレームを送信する前記ワイヤレスアクセスポイントを含む前記ＷＬＡＮを使用して、前記ワイヤレスアクセスポイントと、前記複数のワイヤレスステーションのうちの少なくとも１つとの間におけるワイヤレスアクセスポイントイニシエータ送信機セクタスイープおよび受信機セクタスイープを前記ワイヤレスアクセスポイントにおいて実行するステップと、
アクセスポイント送信機と、複数のワイヤレスステーション受信機のうちの少なくとも１つとの間における第１の数の反復を有する第１のレゾリューションのためのビームセクタを特定するステップと、
前記第１のレゾリューションのための前記特定されたビームセクタ内のビームを、前記第１のレゾリューションのための前記特定されたビームセクタ内のそれぞれのビームに関するアンテナウェイトベクトル（ＡＷＶ）に基づいて特定するステップと、
前記第１のレゾリューションのためのそれぞれの特定されたセクタに関して第１のレゾリューション最良ビームを特定するステップと、
前記アクセスポイント送信機と、前記複数のワイヤレスステーション受信機のうちの少なくとも１つとの間における第２の数の反復を有する第２のレゾリューションのためのビームセクタを特定するステップと、
前記第２のレゾリューションのための前記特定されたビームセクタ内のビームを、前記第２のレゾリューションのための前記特定されたビームセクタ内のそれぞれのビームに関するＡＷＶに基づいて特定するステップと、
前記第２のレゾリューションのためのそれぞれの特定されたセクタに関して第２のレゾリューション最良ビームを特定するステップと、
前記第１のレゾリューション最良ビームを前記第２のレゾリューション最良ビームと比較することによって最良ビームを特定するステップと
を行うように構成されたプロセッサを備えたワイヤレスアクセスポイント。
【請求項８】
前記プロセッサは、送信微細化トランザクション（ＴＲＮ−Ｔ）サブフィールドを伴う送信ビーム微細化プロトコルフレームを前記ワイヤレスアクセスポイントから前記複数のワイヤレスステーションのうちの前記少なくとも１つへ送信するステップを行うようにさらに構成されている請求項７に記載のワイヤレスアクセスポイント。
【請求項９】
前記プロセッサは、前記送信機セクタスイープおよび受信機セクタスイープから特定された最良アンテナウェイトベクトル（ＡＷＶ）を前記ワイヤレスアクセスポイントにおいて前記複数のワイヤレスステーションのうちの前記少なくとも１つから受信するステップを行うようにさらに構成されている請求項８に記載のワイヤレスアクセスポイント。
【請求項１０】
前記第１のレゾリューションおよび前記第２のレゾリューションは、前記アクセスポイントと前記複数のワイヤレスステーションのうちの前記少なくとも１つとの間における時分割多重化通信および周波数分割多重化通信のために実行される請求項７に記載のワイヤレスアクセスポイント。
【請求項１１】
ワイヤレスローカルエリアネットワーク（ＷＬＡＮ）においてマルチレゾリューションビーム微細化プロトコル（ＢＲＰ）を用いて通信を行うためのアクセスポイントであって、
セクタレベルスイープを使用して送信セクタおよび受信セクタを特定するステップと、
前記送信セクタおよび前記受信セクタのうちの少なくとも１つならびに利用可能な送信ビームのサブセットに関連付けられている第１の複数の送信微細化トランザクション（ＴＲＮ−Ｔ）サブフィールドを含む第１のビーム微細化プロトコル（ＢＲＰ）を送信するステップと、
前記第１の複数のＴＲＮ−Ｔサブフィールドからの第１の最良送信ビームを示すステーションからの第１のフィードバックを受信するステップと、
第２のビーム微細化プロトコルのための前記送信セクタに関連付けられているビームをダウンセレクトするステップと、
前記第１の最良送信ビームに基づいて第２の複数のＴＲＮ−Ｔサブフィールドを伴う前記第２のビーム微細化プロトコルを送信するステップと、
前記第２のビーム微細化プロトコルに基づいて第２の最良送信ビームを示す前記ステーションからの第２のフィードバックを受信するステップと
を行うように構成されたプロセッサを備えたアクセスポイント。
【請求項１２】
マルチレゾリューションビーム微細化プロトコル（ＢＲＰ）を使用してワイヤレスローカルエリアネットワーク（ＷＬＡＮ）においてアクセスポイントと通信する方法であって、
セクタレベルスイープを使用して送信セクタおよび受信セクタを特定するステップと、
前記送信セクタおよび前記受信セクタのうちの少なくとも１つならびに利用可能な送信ビームのサブセットに関連付けられている第１の複数の送信微細化トランザクション（ＴＲＮ−Ｔ）サブフィールドを含む第１のビーム微細化プロトコル（ＢＲＰ）を送信するステップと、
前記第１の複数のＴＲＮ−Ｔサブフィールドからの第１の最良送信ビームを示すステーションからの第１のフィードバックを受信するステップと、
第２のビーム微細化プロトコルのための前記送信セクタに関連付けられているビームをダウンセレクトするステップと、
前記第１の最良送信ビームに基づいて第２の複数のＴＲＮ−Ｔサブフィールドを伴う前記第２のビーム微細化プロトコルを送信するステップと、
前記第２のビーム微細化プロトコルに基づいて第２の最良送信ビームを示す前記ステーションからの第２のフィードバックを受信するステップとを含む方法。
【国際調査報告】
2019512939.tif 000043
2019512939.tif 000044
2019512939.tif 000045
2019512939.tif 000046
2019512939.tif 000047